(57)【要約】【課題】本発明は、プリント配線板上への部品の組付け確認・交換・修正等の作業関連情報を表示する製品設計データ表示方法及び製品設計データ表示システムに関する。【解決手段】製品設計データ表示システム１は、プリント配線板を構成する部品の「部品を特定する情報」、「組付け箇所を特定する情報」、「接続箇所を特定する情報」をプリント配線板の「レイアウト位置を示す情報」と対比させた対象製品設計データを対象製品設計データ記憶部２２に記憶し、任意の「部品を特定する情報」、「組付け箇所を特定する情報」、「接続箇所を特定する情報」又は「組み合わせ情報」が指定されると、指定情報に対応する部品・接続箇所を他の部品・接続箇所と区別して全ての部品・接続箇所をプリント配線板のレイアウト上でデータ表示部３０に表示し、レイアウト上で任意の位置が指定されると、指定位置にある部品の「部品を特定する情報」等の情報を表示する。【選択図】          図１  
2006024883.tif 000002
【特許請求の範囲】
【請求項１】
プリント配線板の部品の組立・検査・修理等の作業における当該部品の組付け・確認・交換または修正等の作業の位置に関連する情報を表示する作業関連情報表示方法であって、前記プリント配線板を構成する部品の「部品を特定する情報」及びプリント配線板の「組付け箇所を特定する情報」を当該プリント配線板の「レイアウト位置を示す情報」に対比させた対象製品設計データを用意し、任意の「部品を特定する情報」または「組付け箇所を特定する情報」またはこれらの情報を組み合わせた「組み合わせ情報」が指定されると、前記対象製品設計データに基づいて、当該指定された情報に対応する部品を他の部品と区別した状態で、全ての部品をプリント配線板のレイアウト上に表示することを特徴とする作業関連情報表示方法。
【請求項２】
プリント配線板の部品の組立・検査・修理等の作業における当該部品の組付け・確認・交換または修正等の作業の位置に関連する情報を表示する作業関連情報表示方法であって、前記プリント配線板を構成する部品の「部品を特定する情報」及びプリント配線板の「組付け箇所を特定する情報」を当該プリント配線板の「レイアウト位置を示す情報」に対比させた対象製品設計データを用意し、前記プリント配線板のレイアウト上で任意の位置が指定されると、前記対象製品設計データに基づいて、当該指定された位置に存在する部品の「部品を特定する情報」または当該指定された位置に存在する組付け箇所の「組付け箇所を特定する情報」を表示することを特徴とする作業関連情報表示方法。
【請求項３】
プリント配線板の部品の組立・検査・修理等の作業における当該部品の組付け・確認・交換または修正等の作業の位置に関連する情報を表示する作業関連情報表示方法であって、前記プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させた対象製品設計データを用意し、任意の「部品を特定する情報」または「組付け箇所を特定する情報」または「接続箇所を特定する情報」またはこれらの情報を組み合わせた「組み合わせ情報」が指定されると、前記対象製品設計データに基づいて、当該指定された情報に対応する接続箇所を他の接続箇所と区別した状態で、全ての接続箇所をプリント配線板のレイアウト上に表示することを特徴とする作業関連情報表示方法。
【請求項４】
プリント配線板の部品の組立・検査・修理等の作業における当該部品の組付け・確認・交換または修正等の作業の位置に関連する情報を表示する作業関連情報表示方法であって、前記プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させた対象製品設計データを用意し、前記プリント配線板のレイアウト上で任意の位置が指定されると、前記対象製品設計データに基づいて、当該指定された位置に存在する部品の「部品を特定する情報」または当該指定された位置に存在する組付け箇所の「組付け箇所を特定する情報」または当該指定された位置に存在する接続箇所の「接続箇所を特定する情報」を表示することを特徴とする作業関連情報表示方法。
【請求項５】
プリント配線板の部品の組立・検査・修理等の作業における当該部品の組付け・確認・交換または修正等の作業の位置に関連する情報を表示する作業関連情報表示方法であって、前記プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させた対象製品設計データを用意し、任意の「部品を特定する情報」または「組付け箇所を特定する情報」または「接続箇所を特定する情報」またはこれらの情報を組み合わせた「組み合わせ情報」が指定されると、前記対象製品設計データに基づいて、当該指定された情報に対応する部品・接続箇所を他の部品・接続箇所と区別した状態で、全ての部品・接続箇所をプリント配線板のレイアウト上に表示することを特徴とする作業関連情報表示方法。
【請求項６】
プリント配線板の部品の組立・検査・修理等の作業における当該部品の組付け・確認・交換または修正等の作業の位置に関連する情報を表示する作業関連情報表示方法であって、前記プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させるとともに、組立作業実施時に部品を組付けたか否かを示す組付情報を対比させた対象製品設計データを用意し、任意の「部品を特定する情報」または「組付け箇所を特定する情報」または「接続箇所を特定する情報」またはこれらの情報を組み合わせた「組み合わせ情報」が指定されると、前記対象製品設計データに基づいて、当該指定された情報に対応する部品が組付けられているかチェックして、部品が組み付けられていると、当該部品を他の部品と区別した状態で、部品が組み付けられていないと、当該組み付けられるべき部品の接続箇所を他の接続箇所と区別した状態で、全ての部品・接続箇所をプリント配線板のレイアウト上で表示することを特徴とする作業関連情報表示方法。
【請求項７】
プリント配線板の部品の組立・検査・修理等の作業における当該部品の組付け・確認・交換または修正等の作業の位置に関連する情報を表示する作業関連情報表示システムであって、プリント配線板の設計データを記憶するデータベース手段と、当該データベース手段の設計データからプリント配線板を構成する部品の「部品を特定する情報」及びプリント配線板の「組付け箇所を特定する情報」をプリント配線板の「レイアウト位置を示す情報」に対比させた対象製品設計データを収集するデータ収集手段と、全ての部品をプリント配線板のレイアウト上で表示するデータ表示手段と、を備え、前記データ表示手段が、任意の「部品を特定する情報」または「組付け箇所を特定する情報」またはこれらの情報を組み合わせた「組み合わせ情報」が入力される抽出設計データ入力手段と、当該抽出設計データ入力手段から入力された情報に対応する組付け箇所識別因子を前記データ収集手段の収集した前記対象製品設計データから抽出する識別因子抽出手段と、当該識別因子抽出手段の抽出した識別因子に対応する部品を他の部品と区別した状態で全ての部品をプリント配線板のレイアウト上で表示する位置表示手段と、を有することを特徴とする作業関連情報表示システム。
【請求項８】
プリント配線板の部品の組立・検査・修理等の作業における当該部品の組付け・確認・交換または修正等の作業の位置に関連する情報を表示する作業関連情報表示システムであって、プリント配線板の設計データを記憶するデータベース手段と、当該データベース手段の設計データからプリント配線板を構成する部品の「部品を特定する情報」及びプリント配線板の「組付け箇所を特定する情報」をプリント配線板の「レイアウト位置を示す情報」に対比させた対象製品設計データを収集するデータ収集手段と、抽出情報を表示するデータ表示手段と、を備え、前記データ表示手段が、プリント配線板のレイアウト上で任意の位置が入力される抽出位置入力手段と、当該抽出位置入力手段から入力された位置に存在する部品の「部品を特定する情報」または入力された位置に存在する組付け箇所の「組付け箇所を特定する情報」を前記データ収集手段の収集した前記対象製品設計データから抽出する設計データ抽出手段と、当該設計データ抽出手段の抽出した情報を表示する設計データ表示手段と、を有することを特徴とする作業関連情報表示システム。
【請求項９】
プリント配線板の部品の組立・検査・修理等の作業における当該部品の組付け・確認・交換または修正等の作業の位置に関連する情報を表示する作業関連情報表示システムであって、プリント配線板の設計データを記憶するデータベース手段と、当該データベース手段の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集するデータ収集手段と、全ての接続箇所をプリント配線板のレイアウト上で表示するデータ表示手段と、を備え、前記データ表示手段が、任意の「部品を特定する情報」または「組付け箇所を特定する情報」または「接続箇所を特定する情報」またはこれらの情報を組み合わせた「組み合わせ情報」が入力される抽出設計データ入力手段と、当該抽出設計データ入力手段から入力された情報に対応する組付け箇所識別因子・接続箇所識別因子を前記データ収集手段の収集した前記対象製品設計データから抽出する識別因子抽出手段と、当該識別因子抽出手段の抽出した識別因子に対応する接続箇所を他の接続箇所と区別した状態で、全ての接続箇所をプリント配線板のレイアウト上で表示する位置表示手段と、を有することを特徴とする作業関連情報表示システム。
【請求項１０】
プリント配線板の部品の組立・検査・修理等の作業における当該部品の組付け・確認・交換または修正等の作業の位置に関連する情報を表示する作業関連情報表示システムであって、プリント配線板の設計データを記憶するデータベース手段と、当該データベース手段の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集するデータ収集手段と、抽出情報を表示するデータ表示手段と、を備え、前記データ表示手段が、プリント配線板のレイアウト上で任意の位置が入力される抽出位置入力手段と、当該抽出位置入力手段から入力された位置に存在する部品の「部品を特定する情報」または当該入力された位置に存在する組み付け箇所の「組付け箇所を特定する情報」または当該入力された位置に存在する接続箇所の「接続箇所を特定する情報」を前記データ収集手段の収集した前記対象製品設計データから抽出する設計データ抽出手段と、当該設計データ抽出手段の抽出した情報を表示する設計データ表示手段と、を有することを特徴とする作業関連情報表示システム。
【請求項１１】
プリント配線板の部品の組立・検査・修理等の作業における当該部品の組付け・確認・交換または修正等の作業の位置に関連する情報を表示する作業関連情報表示システムであって、プリント配線板の設計データを記憶するデータベース手段と、当該データベース手段の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集するデータ収集手段と、全ての部品・接続箇所をプリント配線板のレイアウト上で表示するデータ表示手段と、を備え、前記データ表示手段が、任意の「部品を特定する情報」または「組付け箇所を特定する情報」または「接続箇所を特定する情報」またはこれらの情報を組み合わせた「組み合わせ情報」が入力される抽出設計データ入力手段と、当該抽出設計データ入力手段から入力された情報に対応する組付け箇所識別因子・接続箇所識別因子を前記データ収集手段の収集した前記対象製品設計データから抽出する識別因子抽出手段と、当該識別因子抽出手段の抽出した識別因子に対応する部品・接続箇所を他の部品・接続箇所と区別した状態で、全ての部品・接続箇所をプリント配線板のレイアウト上で表示する位置表示手段と、を有することを特徴とする作業関連情報表示システム。
【請求項１２】
プリント配線板の部品の組立・検査・修理等の作業における当該部品の組付け・確認・交換または修正等の作業の位置に関連する情報を表示する作業関連情報表示システムであって、プリント配線板の設計データを記憶するデータベース手段と、当該データベース手段から対象製品設計データを収集するデータ収集手段と、全ての部品・接続箇所をプリント配線板のレイアウト上で表示するデータ表示手段と、を備え、前記データ収集手段が、前記データベース手段の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」と対比させた対象製品設計データを収集する対象製品設計データ収集手段と、当該対象製品設計データに組立作業実施時に部品を組付けたか否かを示す組付情報を入力する対象製品設計データ入力手段と、を有し、前記データ表示手段が、任意の「部品を特定する情報」または「組付け箇所を特定する情報」または「接続箇所を特定する情報」またはこれらの情報を組み合わせた「組み合わせ情報」が入力される抽出設計データ入力手段と、前記データ収集手段の前記組付情報を含む対象製品設計データに基づいて当該抽出設計データ入力手段から入力された情報に対応する部品が組付けられているかチェックして、部品が組み付けられていると、前記部品の組み付け箇所識別因子を、部品が組み付けられていないと、前記部品の接続箇所識別因子を抽出する識別因子抽出手段と、当該識別因子抽出手段の抽出した識別因子に対応する部品・接続箇所を他の部品・接続箇所と区別した状態で、全ての部品・接続箇所をプリント配線板のレイアウト上で表示する位置表示手段と、を有することを特徴とする作業関連情報表示システム。
【請求項１３】
プリント配線板を識別する情報および該プリント配線板に関連する情報を記憶したデータベース部と、前記プリント配線板を識別する情報により識別された該プリント配線板のレイアウトおよび識別された該プリント配線板に関連する情報を表示可能な表示部と、を備えたプリント配線板作業関連情報表示システムであって、
前記プリント配線板に関連する情報のうち任意の情報が指定された場合、前記表示部に表示される前記プリント配線板のレイアウト上に指定された情報に対応する直感的に認識可能な表示を行う第一の情報表示手段を有することを特徴とするプリント配線板作業関連情報表示システム。
【請求項１４】
プリント配線板を識別する情報および該プリント配線板に関連する情報を記憶したデータベース部と、前記プリント配線板を識別する情報により識別された該プリント配線板のレイアウトおよび識別された該プリント配線板に関連する情報を表示可能な表示部と、を備えたプリント配線板作業関連情報表示システムであって、
前記プリント配線板のレイアウト上において任意の位置が指定された場合、該プリント配線板に関連する情報のうち指定された位置に対応する情報を前記表示部に表示する第二の情報表示手段を有することを特徴とするプリント配線板作業関連情報表示システム。
【請求項１５】
プリント配線板を識別する情報および該プリント配線板に関連する情報を記憶したデータベース部と、前記プリント配線板を識別する情報により識別された該プリント配線板のレイアウトおよび識別された該プリント配線板に関連する情報を表示可能な表示部と、を備えたプリント配線板作業関連情報表示システムであって、
前記プリント配線板に関連する情報のうち任意の情報が指定された場合、前記表示部に表示される前記プリント配線板のレイアウト上に指定された情報に対応する直感的に認識可能な表示を行う第一の情報表示手段と、
前記プリント配線板のレイアウト上において任意の位置が指定された場合、該プリント配線板に関連する情報のうち指定された位置に対応する情報を前記表示部に表示する第二の情報表示手段とを有することを特徴とするプリント配線板作業関連情報表示システム。
【請求項１６】
前記第一の情報表示手段は、指定された情報に対応する直感的に認識可能な表示を、指定されなかった情報に対応する直感的に認識可能な表示と区別した態様で行うことを特徴とする請求項１３または請求項１５のいずれか一項に記載のプリント配線板作業関連情報表示システム。
【請求項１７】
前記第一の情報表示手段は、指定された情報に対応する直感的に認識可能な表示と、指定されなかった情報に対応する直感的に認識可能な表示とを色により区別することを特徴とする請求項１６に記載のプリント配線板作業関連情報表示システム。
【請求項１８】
前記プリント配線板に関連する情報は、該プリント配線板に設置される部品の「部品を特定する情報」、および前記プリント配線板上に配置される部品に関する「組付け箇所を特定する情報」、および前記プリント配線板上に配置される部品に関する「接続箇所を特定する情報」、および「部品を特定する情報」と「組付け箇所を特定する情報」と「接続箇所を特定する情報」とに対応する前記プリント配線板の「レイアウトの位置を示す情報」の少なくともいずれか一つの情報であることを特徴とする請求項１３ないし請求項１５のいずれか一項に記載のプリント配線板作業関連情報表示システム。
【請求項１９】
前記プリント配線板に関連する情報は、該プリント配線板に設置される部品の「部品を特定する情報」、および前記プリント配線板上に配置される部品に関する「組付け箇所を特定する情報」、および前記プリント配線板上に配置される部品に関する「接続箇所を特定する情報」、および「部品を特定する情報」と「組付け箇所を特定する情報」と「接続箇所を特定する情報」とに対応する前記プリント配線板の「レイアウトの位置を示す情報」の少なくともいずれか一つの情報であることを特徴とする請求項１６に記載のプリント配線板作業関連情報表示システム。
【請求項２０】
前記プリント配線板に関連する情報は、該プリント配線板に設置される部品の「部品を特定する情報」、および前記プリント配線板上に配置される部品に関する「組付け箇所を特定する情報」、および前記プリント配線板上に配置される部品に関する「接続箇所を特定する情報」、および「部品を特定する情報」と「組付け箇所を特定する情報」と「接続箇所を特定する情報」とに対応する前記プリント配線板の「レイアウトの位置を示す情報」の少なくともいずれか一つの情報であることを特徴とする請求項１７に記載のプリント配線板作業関連情報表示システム。
【請求項２１】
プリント配線板を識別する情報および該プリント配線板に関連する情報を記憶する工程と、
該プリント配線板を識別する工程と、
識別した該プリント配線板のレイアウトを表示する工程と、
識別した該プリント配線板に関連する情報を取得する工程と、
取得した該プリント配線板に関連する情報のうち任意の情報が指定された場合、指定された情報に対応する直感的に認識可能な表示を該プリント配線板のレイアウト上に行う工程とを含むことを特徴とするプリント配線板作業関連情報表示方法。
【請求項２２】
プリント配線板を識別する情報および該プリント配線板に関連する情報を記憶する工程と、
該プリント配線板を識別する工程と、
識別した該プリント配線板のレイアウトを表示する工程と、
識別した該プリント配線板に関連する情報を取得する工程と、
該プリント配線板のレイアウト上において任意の位置が指定された場合、取得した該プリント配線板に関連する情報のうち指定された位置に対応する情報を表示する工程とを含むことを特徴とするプリント配線板作業関連情報表示方法。
【請求項２３】
プリント配線板を識別する情報および該プリント配線板に関連する情報を記憶する工程と、
該プリント配線板を識別する工程と、
識別した該プリント配線板のレイアウトを表示する工程と、
識別した該プリント配線板に関連する情報を取得する工程と、
取得した該プリント配線板に関連する情報のうち任意の情報が指定された場合、指定された情報に対応する直感的に認識可能な表示を該プリント配線板のレイアウト上に行う工程と、
該プリント配線板のレイアウト上において任意の位置が指定された場合、取得した該プリント配線板に関連する情報のうち指定された位置に対応する情報を表示する工程とを含むことを特徴とするプリント配線板作業関連情報表示方法。
【請求項２４】
任意に指定された情報に対応する直感的に認識可能な表示を、指定されなかった情報に対応する直感的に認識可能な表示と区別した態様で表示することを特徴とする請求項２１ないし請求項２３のいずれか一項に記載のプリント配線板作業関連情報表示方法。
【請求項２５】
プリント配線板を識別する情報および該プリント配線板に関連する情報を記憶する工程と、
該プリント配線板を識別する工程と、
識別した該プリント配線板のレイアウトを表示する工程と、
識別した該プリント配線板に関連する情報を取得する工程と、
取得した該プリント配線板に関連する情報のうち任意の情報が指定された場合、指定された情報に対応する直感的に認識可能な表示を該プリント配線板のレイアウト上に行う工程と、
前記指定された情報に対応する直感的に認識可能な表示に基づいて、前記プリント配線板に部品を実装する工程および該プリント配線板を検査する工程のうち少なくとも一方の工程とを含むことを特徴とするプリント回路実装品の製造方法。
【請求項２６】
プリント配線板を識別する情報および該プリント配線板に関連する情報を記憶する工程と、
該プリント配線板を識別する工程と、
識別した該プリント配線板のレイアウトを表示する工程と、
識別した該プリント配線板に関連する情報を取得する工程と、
該プリント配線板のレイアウト上において任意の位置が指定された場合、取得した該プリント配線板に関連する情報のうち指定された位置に対応する情報を表示する工程と、
前記指定された位置に対応する情報の表示に基づいて、前記プリント配線板に部品を実装する工程および該プリント配線板を検査する工程のうち少なくとも一方の工程とを含むことを特徴とするプリント回路実装品の製造方法。
【請求項２７】
プリント配線板を識別する情報および該プリント配線板に関連する情報を記憶する工程と、
該プリント配線板を識別する工程と、
識別した該プリント配線板のレイアウトを表示する工程と、
識別した該プリント配線板に関連する情報を取得する工程と、
取得した該プリント配線板に関連する情報のうち任意の情報が指定された場合、指定された情報に対応する直感的に認識可能な表示を該プリント配線板のレイアウト上に行う工程と、
該プリント配線板のレイアウト上において任意の位置が指定された場合、取得した該プリント配線板に関連する情報のうち指定された位置に対応する情報を表示する工程と、
前記指定された情報に対応する直感的に認識可能な表示および前記指定された位置に対応する情報の表示に基づいて、前記プリント配線板に部品を実装する工程および該プリント配線板を検査する工程のうち少なくとも一方の工程とを含むことを特徴とするプリント回路実装品の製造方法。
【請求項２８】
プリント配線板を識別する情報および該プリント配線板に関連する情報を記憶したデータベースを有するまたは該データベースと接続可能であり、かつ前記プリント配線板のレイアウトの表示を行う表示装置に接続されるコンピュータに命令を実行させるコンピュータプログラムであって、
前記プリント配線板を識別する手順と、
識別した該プリント配線板のレイアウトを前記表示装置に表示する手順と、
識別した前記プリント配線板に関連する情報を取得する手順と、
取得した該プリント配線板に関連する情報のうち任意の情報が指定された場合、前記表示装置に表示される前記プリント配線板のレイアウト上に、指定された情報に対応する直感的に認識可能な表示を行う手順とを実行させることを特徴とするコンピュータプログラム。
【請求項２９】
プリント配線板を識別する情報および該プリント配線板に関連する情報を記憶したデータベースを有するまたは該データベースと接続可能であり、かつ前記プリント配線板のレイアウトの表示を行う表示装置に接続されるコンピュータに命令を実行させるコンピュータプログラムであって、
前記プリント配線板を識別する手順と、
識別した該プリント配線板のレイアウトを前記表示装置に表示する手順と、
識別した前記プリント配線板に関連する情報を取得する手順と、
該プリント配線板のレイアウト上において任意の位置が指定された場合、取得した該プリント配線板に関連する情報のうち指定された位置に対応する情報を前記表示装置に表示する手順とを実行させることを特徴とするコンピュータプログラム。
【請求項３０】
プリント配線板を識別する情報および該プリント配線板に関連する情報を記憶したデータベースを有するまたは該データベースと接続可能であり、かつ前記プリント配線板のレイアウトの表示を行う表示装置に接続されるコンピュータに命令を実行させるコンピュータプログラムであって、
前記プリント配線板を識別する手順と、
識別した該プリント配線板のレイアウトを前記表示装置に表示する手順と、
識別した前記プリント配線板に関連する情報を取得する手順と、
取得した該プリント配線板に関連する情報のうち任意の情報が指定された場合、前記表示装置に表示される前記プリント配線板のレイアウト上に、指定された情報に対応する直感的に認識可能な表示を行う手順と、
該プリント配線板のレイアウト上において任意の位置が指定された場合、取得した該プリント配線板に関連する情報のうち指定された位置に対応する情報を前記表示装置に表示する手順とを実行させることを特徴とするコンピュータプログラム。
【請求項３１】
請求項２８ないし請求項３０のいずれか一項に記載のコンピュータプログラムを記録し、かつコンピュータにより読み取りが可能な記録媒体。
【発明の詳細な説明】
【技術分野】
【０００１】
本発明は、作業関連情報表示方法、作業関連情報表示システム、プリント配線板作業関連情報表示システム、プリント配線板作業関連情報表示方法、この表示方法を利用したプリント回路実装品の製造方法、この表示方法を実行させるコンピュータプログラム及びこのコンピュータプログラムを記録可能な記録媒体に関し、詳細には、プリント配線板の組立・検査・修理等の作業で、プリント配線板上への部品の組付け位置・確認・交換または修正等の作業の位置を表示する作業関連情報表示方法、作業関連情報表示システム、プリント配線板作業関連情報表示システム、プリント配線板作業関連情報表示方法、この表示方法を利用したプリント回路実装品の製造方法、この表示方法を実行させるコンピュータプログラム及びこのコンピュータプログラムを記録可能な記録媒体に関する。
【背景技術】
【０００２】
電気・電子製品の小型化により、プリント配線板は、複雑化・高密度化・小型化が進み、プリント配線板上に実装する部品を識別するリファレンス番号を印字するスペースが少なくなってきている。
【０００３】
そのため、実装する部品とリファレンス番号の印刷位置が離れる、リファレンス番号の印刷文字が小さい、リファレンス番号の印刷がない等の理由によって、実装する部品の位置が分かり難かったり、実装部品の位置が分からなくなってきている。その結果、プリント配線板の組立・検査・修理等の作業において、作業ミスが発生したり、作業を行うことができなかったり、作業時間が長くかかるという問題があった。
【０００４】
そこで、従来、複数の電子部品について、各々の電子部品が基板上に実装される工程を指示する工程情報を記憶する記憶手段と、前記電子部品の実装展開図を表示する表示手段と、前記電子部品を前記表示手段に描画する描画手段とを具備する工程別実装情報作成装置が提案されている。描画手段は、任意の工程が指定されると、指定された工程において実装される電子部品については所定の描画形態により描画し、それ以外の工程において実装される電子部品については前記描画形態とは異なる描画形態により描画する（特許文献１参照）。
【０００５】
すなわち、この従来技術は、各工程において、基板上の適正な位置と適正な部品とが作業者に容易に認識されるようにしている。
【０００６】
また、従来、高密度基板やシルク表示が無いプリント基板等の部品搭載部材に電子部品を搭載する際に、搭載作業を行うべき電子部品を指示する部品搭載指示装置において、搭載すべき電子部品の位置を、その周囲に搭載する電子部品の位置とともに、搭載する順に図示する機能を有する部品搭載指示装置が提案されている（特許文献２参照）。
【０００７】
この従来技術は、プリント基板上に電子部品を搭載する際に、搭載すべき電子部品の位置を周囲に搭載する電子部品の位置とともに搭載順に図示して、搭載効率の向上を図っている。
【特許文献１】実開平６−７５０４６号公報
【特許文献２】特開２００３−２０９３９２号公報
【発明の開示】
【発明が解決しようとする課題】
【０００８】
しかしながら、上記従来技術にあっては、プリント基板の部品の組立、検査、修理等の作業性を向上させる上で、改良の必要があった。
【０００９】
すなわち、上記特許文献１記載の従来技術にあっては、各工程において、基板上の適正な位置と適正な部品とが作業者に容易に認識されるようにしているため、指定された工程において実装される電子部品についてはその位置が表示されるが、任意に指定された部品に関しては、その位置が表示されず、作業性が悪いという問題があった。
【００１０】
また、上記特許文献２記載の従来技術にあっては、搭載すべき電子部品の位置を周辺部品との関係で搭載順に表示するが、任意に指定された部品については、表示することができず、作業性が悪いという問題があった。
【００１１】
そこで、本発明は、プリント配線板を構成する部品の「部品を特定する情報」、プリント配線板の「組付け箇所を特定する情報」、プリント配線板の「接続箇所を特定する情報」を、プリント配線板の「レイアウト位置を示す情報」と対比させた対象製品設計データとして記憶し、任意の「部品を特定する情報」または「組付け箇所を特定する情報」または「接続箇所を特定する情報」またはこれらの情報の組み合わせた「組み合わせ情報」が指定されると、指定された情報に対応する部品・接続箇所を他の部品・接続箇所と区別した状態で、全ての部品・接続箇所をプリント配線板のレイアウト上で表示し、また、プリント配線板のレイアウト上で任意の位置が指定されると、指定された位置に存在する部品の「部品を特定する情報」または指定された位置に存在する組付け箇所の「組付け箇所を特定する情報」または指定された位置に存在する接続箇所の「接続箇所を特定する情報」を表示することで、プリント配線板の組立・検査・修理作業で、作業する位置、作業する部品の「部品を特定する情報」または作業する組付け箇所の「組付け箇所を特定する情報」または作業する接続箇所の「接続箇所を特定する情報」を明確にして、作業ミスを防止し、また、作業ができなかったりしないようにし、また、作業する位置を探す時間、作業する部品の「部品を特定する情報」または作業する組付け箇所の「組付け箇所を特定する情報」または作業する接続箇所の「接続箇所を特定する情報」を調査する時間を短縮させ、作業時間の短縮化及び作業性を向上させることのできる作業関連情報表示方法、作業関連情報表示システム、プリント配線板作業関連情報表示システム、プリント配線板作業関連情報表示方法、この表示方法を利用したプリント回路実装品の製造方法、この表示方法を実行させるコンピュータプログラム及びこのコンピュータプログラムを記録可能な記録媒体を提供することを目的としている。
【００１２】
具体的には、請求項１に記載の発明は、プリント配線板の部品の組立・検査・修理等の作業における当該部品の組付け・確認・交換または修正等の作業の位置に関連する情報を表示するに際して、プリント配線板を構成する部品の「部品を特定する情報」及びプリント配線板の「組付け箇所を特定する情報」を当該プリント配線板の「レイアウト位置を示す情報」に対比させた対象製品設計データを用意し、任意の「部品を特定する情報」または「組付け箇所を特定する情報」またはこれらの情報を組み合わせた「組み合わせ情報」が指定されると、当該対象製品設計データに基づいて、当該指定された情報に対応する部品を他の部品と区別した状態で、全ての部品をプリント配線板のレイアウト上に表示することにより、一般的に組立・検査・修理等の作業では、任意の「部品を特定する情報」または「組付け箇所を特定する情報」または「接続箇所を特定する情報」またはこれらの情報を組み合わせた「組み合わせ情報」が指定され、当該指定された情報に対応する位置をプリント配線板のレイアウト上で探して、当該位置で指定された作業を実施するが、このような場合に、指定された情報に対応する部品を他の部品と区別して全ての部品をプリント配線板のレイアウト上に表示することで、プリント配線板の組立・検査・修理作業での作業位置を明確にして、作業ミスや作業不可能状態の発生を防止し、また、作業位置を探す時間を短くして、作業時間を短縮させ、作業性を向上させる作業関連情報表示方法を提供することを目的としている。
【００１３】
請求項２に記載の発明は、プリント配線板の部品の組立・検査・修理等の作業における当該部品の組付け・確認・交換または修正等の作業の位置に関連する情報を表示するに際して、プリント配線板を構成する部品の「部品を特定する情報」及びプリント配線板の「組付け箇所を特定する情報」を当該プリント配線板の「レイアウト位置を示す情報」に対比させた対象製品設計データを用意し、プリント配線板のレイアウト上で任意の位置が指定されると、対象製品設計データに基づいて、当該指定された位置に存在する部品の「部品を特定する情報」または当該指定された位置に存在する組付け箇所の「組付け箇所を特定する情報」を表示することにより、一般的にプリント配線板の検査では、不良が発生している位置を探し、当該位置に存在する部品の「部品を特定する情報」または当該位置に存在する組付け箇所の「組付け箇所を特定する情報」または当該位置に存在する接続箇所の「接続箇所を特定する情報」を抽出し、情報を記録したり、実装されている部品が正しいかどうか情報と比較したりするが、このような場合に、指定された位置に存在する部品の「部品を特定する情報」または指定された位置に存在する組付け箇所の「組付け箇所を特定する情報」を表示することで、プリント配線板の検査で、作業する部品の「部品を特定する情報」または作業する組付け箇所の「組付け箇所を特定する情報」を明確にして、作業ミスや作業不可能状態の発生を防止し、また、作業する部品の「部品を特定する情報」または作業する組付け箇所の「組付け箇所を特定する情報」を調査する時間を短くして、作業時間を短縮させ、作業性を向上させる作業関連情報表示方法を提供することを目的としている。
【００１４】
請求項３に記載の発明は、プリント配線板の部品の組立・検査・修理等の作業における当該部品の組付け・確認・交換または修正等の作業の位置に関連する情報を表示するに際して、プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させた対象製品設計データを用意し、任意の「部品を特定する情報」または「組付け箇所を特定する情報」または「接続箇所を特定する情報」またはこれらの情報を組み合わせた「組み合わせ情報」が指定されると、対象製品設計データに基づいて、当該指定された情報に対応する接続箇所を他の接続箇所と区別した状態で、全ての接続箇所をプリント配線板のレイアウト上に表示することにより、プリント配線板の組立・検査・修理作業での作業位置をより一層明確にして、作業ミスや作業不可能状態の発生をより一層防止し、また、作業位置を探す時間をより一層短くして、作業時間をより一層短縮させ、作業性をより一層向上させる作業関連情報表示方法を提供することを目的としている。
【００１５】
請求項４に記載の発明は、プリント配線板の部品の組立・検査・修理等の作業における当該部品の組付け・確認・交換または修正等の作業の位置に関連する情報を表示するに際して、プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させた対象製品設計データを用意し、プリント配線板のレイアウト上で任意の位置が指定されると、対象製品設計データに基づいて、当該指定された位置に存在する部品の「部品を特定する情報」または当該指定された位置に存在する組付け箇所の「組付け箇所を特定する情報」または当該指定された位置に存在する接続箇所の「接続箇所を特定する情報」を表示することにより、プリント配線板の検査で作業する接続箇所の「接続箇所を特定する情報」をも明確にして、作業ミスや作業不可能状態の発生をより一層防止し、また、作業する部品の「部品を特定する情報」または作業する組付け箇所の「組付け箇所を特定する情報」を調査する時間をより一層短くして、作業時間をより一層短縮させ、作業性をより一層向上させる作業関連情報表示方法を提供することを目的としている。
【００１６】
請求項５に記載の発明は、プリント配線板の部品の組立・検査・修理等の作業における当該部品の組付け・確認・交換または修正等の作業の位置に関連する情報を表示するに際して、プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させた対象製品設計データを用意し、任意の「部品を特定する情報」または「組付け箇所を特定する情報」または「接続箇所を特定する情報」またはこれらの情報を組み合わせた「組み合わせ情報」が指定されると、対象製品設計データに基づいて、当該指定された情報に対応する部品・接続箇所を他の部品・接続箇所と区別した状態で、全ての部品・接続箇所をプリント配線板のレイアウト上に表示することにより、プリント配線板の組立・検査・修理作業での作業する位置をより一層明確にして、作業ミスや作業不可能状態の発生をより一層防止し、また、作業位置を探す時間をより一層短くして、作業時間をより一層短縮させ、作業性をより一層向上させる作業関連情報表示方法を提供することを目的としている。
【００１７】
請求項６に記載の発明は、プリント配線板の部品の組立・検査・修理等の作業における当該部品の組付け・確認・交換または修正等の作業の位置に関連する情報を表示するに際して、プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させるとともに、組立作業実施時に部品を組付けたか否かを示す組付情報を対比させた対象製品設計データを用意し、任意の「部品を特定する情報」または「組付け箇所を特定する情報」または「接続箇所を特定する情報」またはこれらの情報を組み合わせた「組み合わせ情報」が指定されると、対象製品設計データに基づいて、当該指定された情報に対応する部品が組付けられているかチェックして、部品が組み付けられていると、当該部品を他の部品と区別した状態で、部品が組み付けられていないと、当該組み付けられるべき部品の接続箇所を他の接続箇所と区別した状態で、全ての部品・接続箇所をプリント配線板のレイアウト上で表示することにより、プリント配線板の組立・検査・修理作業での作業する位置をより一層明確にして、作業ミスや作業不可能状態の発生をより一層防止し、また、作業位置を探す時間をより一層短くして、作業時間をより一層短縮させ、作業性をより一層向上させる作業関連情報表示方法を提供することを目的としている。
【００１８】
請求項７に記載の発明は、プリント配線板の部品の組立・検査・修理等の作業における当該部品の組付け・確認・交換または修正等の作業の位置に関連する情報を表示するに際して、データ収集手段が、データベース手段の記憶するプリント配線板の設計データからプリント配線板を構成する部品の「部品を特定する情報」及びプリント配線板の「組付け箇所を特定する情報」をプリント配線板の「レイアウト位置を示す情報」に対比させた対象製品設計データを収集し、全ての部品をプリント配線板のレイアウト上で表示するデータ表示手段の抽出設計データ入力手段から任意の「部品を特定する情報」または「組付け箇所を特定する情報」またはこれらの情報を組み合わせた「組み合わせ情報」が入力されると、データ表示手段の識別因子抽出手段が、当該入力された情報に対応する組付け箇所識別因子をデータ収集手段の収集した対象製品設計データから抽出して、データ表示手段の位置表示手段が、当該抽出した識別因子に対応する部品を他の部品と区別した状態で全ての部品をプリント配線板のレイアウト上で表示することにより、指定された情報に対応する部品を他の部品と区別して全ての部品をプリント配線板のレイアウト上に表示することで、プリント配線板の組立・検査・修理作業での作業位置を明確にして、作業ミスや作業不可能状態の発生を防止し、また、作業位置を探す時間を短くして、作業時間を短縮させ、作業性を向上させる作業関連情報表示システムを提供することを目的としている。
【００１９】
請求項８に記載の発明は、プリント配線板の部品の組立・検査・修理等の作業における当該部品の組付け・確認・交換または修正等の作業の位置に関連する情報を表示するに際して、データ収集手段が、データベース手段の記憶するプリント配線板の設計データからプリント配線板を構成する部品の「部品を特定する情報」及びプリント配線板の「組付け箇所を特定する情報」をプリント配線板の「レイアウト位置を示す情報」に対比させた対象製品設計データを収集し、抽出情報を表示するデータ表示手段の抽出位置入力手段からプリント配線板のレイアウト上で任意の位置が入力されると、データ表示手段の設計データ抽出手段が、当該入力された位置に存在する部品の「部品を特定する情報」または入力された位置に存在する組付け箇所の「組付け箇所を特定する情報」をデータ収集手段の収集した対象製品設計データから抽出し、データ表示手段の設計データ表示手段が、当該抽出された情報を表示することにより、プリント配線板の検査で、作業する部品の「部品を特定する情報」または作業する組付け箇所の「組付け箇所を特定する情報」を明確にして、作業ミスや作業不可能状態の発生を防止し、また、作業する部品の「部品を特定する情報」または作業する組付け箇所の「組付け箇所を特定する情報」を調査する時間を短くして、作業時間を短縮させ、作業性を向上させる作業関連情報表示システムを提供することを目的としている。
【００２０】
請求項９に記載の発明は、プリント配線板の部品の組立・検査・修理等の作業における当該部品の組付け・確認・交換または修正等の作業の位置に関連する情報を表示するに際して、データ収集手段が、データベース手段の記憶するプリント配線板の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集し、全ての接続箇所をプリント配線板のレイアウト上で表示するデータ表示手段の抽出設計データ入力手段から任意の「部品を特定する情報」または「組付け箇所を特定する情報」または「接続箇所を特定する情報」またはこれらの情報を組み合わせた「組み合わせ情報」が入力されると、データ表示手段の識別因子抽出手段が、当該抽出設計データ入力手段から入力された情報に対応する組付け箇所識別因子・接続箇所識別因子をデータ収集手段の収集した対象製品設計データから抽出して、データ表示手段の位置表示手段が、当該識別因子抽出手段の抽出した識別因子に対応する接続箇所を他の接続箇所と区別した状態で全ての接続箇所をプリント配線板のレイアウト上で表示することにより、プリント配線板の組立・検査・修理作業での作業位置をより一層明確にして、作業ミスや作業不可能状態の発生をより一層防止し、また、作業位置を探す時間をより一層短くして、作業時間をより一層短縮させ、作業性をより一層向上させる作業関連情報表示システムを提供することを目的としている。
【００２１】
請求項１０に記載の発明は、プリント配線板の部品の組立・検査・修理等の作業における当該部品の組付け・確認・交換または修正等の作業の位置に関連する情報を表示するに際して、データ収集手段が、データベース手段の記憶するプリント配線板の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集し、抽出情報を表示するデータ表示手段の抽出位置入力手段からプリント配線板のレイアウト上で任意の位置が入力されると、データ表示手段の設計データ抽出手段が、当該入力された位置に存在する部品の「部品を特定する情報」または当該入力された位置に存在する組み付け箇所の「組付け箇所を特定する情報」または当該入力された位置に存在する接続箇所の「接続箇所を特定する情報」をデータ収集手段の収集した対象製品設計データから抽出して、データ表示手段の設計データ表示手段が、当該抽出情報を表示することにより、プリント配線板の検査で作業する接続箇所の「接続箇所を特定する情報」をも明確にして、作業ミスや作業不可能状態の発生をより一層防止し、また、作業する部品の「部品を特定する情報」または作業する組付け箇所の「組付け箇所を特定する情報」を調査する時間をより一層短くして、作業時間をより一層短縮させ、作業性をより一層向上させる作業関連情報表示システムを提供することを目的としている。
【００２２】
請求項１１に記載の発明は、プリント配線板の部品の組立・検査・修理等の作業における当該部品の組付け・確認・交換または修正等の作業の位置に関連する情報を表示するに際して、データ収集手段が、データベース手段の記憶するプリント配線板の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集し、全ての部品・接続箇所をプリント配線板のレイアウト上で表示するデータ表示手段の抽出設計データ入力手段から任意の「部品を特定する情報」または「組付け箇所を特定する情報」または「接続箇所を特定する情報」またはこれらの情報を組み合わせた「組み合わせ情報」が入力されると、データ表示手段の識別因子抽出手段が、当該入力された情報に対応する組付け箇所識別因子・接続箇所識別因子をデータ収集手段の収集した対象製品設計データから抽出して、データ表示手段の位置表示手段が、当該抽出された識別因子に対応する部品・接続箇所を他の部品・接続箇所と区別した状態で全ての部品・接続箇所をプリント配線板のレイアウト上で表示することにより、プリント配線板の組立・検査・修理作業での作業する位置をより一層明確にして、作業ミスや作業不可能状態の発生をより一層防止し、また、作業位置を探す時間をより一層短くして、作業時間をより一層短縮させ、作業性をより一層向上させる作業関連情報表示システムを提供することを目的としている。
【００２３】
請求項１２に記載の発明は、プリント配線板の部品の組立・検査・修理等の作業における当該部品の組付け・確認・交換または修正等の作業の位置に関連する情報を表示するに際して、データ収集手段の対象製品設計データ収集手段が、データベース手段の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」と対比させた対象製品設計データを収集するとともに、対象製品設計データ入力手段が当該対象製品設計データに組立作業実施時に部品を組付けたか否かを示す組付情報を入力し、全ての部品・接続箇所をプリント配線板のレイアウト上で表示するデータ表示手段の抽出設計データ入力手段から任意の「部品を特定する情報」または「組付け箇所を特定する情報」または「接続箇所を特定する情報」またはこれらの情報を組み合わせた「組み合わせ情報」が入力されると、データ表示手段の識別因子抽出手段が、データ収集手段の組付情報を含む対象製品設計データに基づいて当該抽出設計データ入力手段から入力された情報に対応する部品が組付けられているかチェックして、部品が組み付けられていると、部品の組み付け箇所識別因子を、部品が組み付けられていないと、部品の接続箇所識別因子を抽出し、位置表示手段が、当該識別因子抽出手段の抽出した識別因子に対応する部品・接続箇所を他の部品・接続箇所と区別した状態で、全ての部品・接続箇所をプリント配線板のレイアウト上で表示することにより、プリント配線板の組立・検査・修理作業での作業する位置をより一層明確にして、作業ミスや作業不可能状態の発生をより一層防止し、また、作業位置を探す時間をより一層短くして、作業時間をより一層短縮させ、作業性をより一層向上させる作業関連情報表示システムを提供することを目的としている。
【００２４】
請求項１３に記載の発明は、プリント配線板を識別する情報およびプリント配線板に関連する情報を記憶したデータベース部と、プリント配線板を識別する情報により識別されたプリント配線板のレイアウトおよび識別されたプリント配線板に関連する情報を表示可能な表示部とを備え、プリント配線板に関連する情報のうち任意の情報が指定された場合、表示部に表示されるプリント配線板のレイアウト上に指定された情報に対応する直感的に認識可能な表示を行う第一の情報表示手段を有することにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させるプリント配線板作業関連情報表示システムを提供することを目的としている。
【００２５】
請求項１４に記載の発明は、プリント配線板を識別する情報およびプリント配線板に関連する情報を記憶したデータベース部と、プリント配線板を識別する情報により識別されたプリント配線板のレイアウトおよび識別されたプリント配線板に関連する情報を表示可能な表示部とを備え、プリント配線板のレイアウト上において任意の位置が指定された場合、プリント配線板に関連する情報のうち指定された位置に対応する情報を表示部に表示する第二の情報表示手段を有することにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させるプリント配線板作業関連情報表示システムを提供することを目的としている。
【００２６】
請求項１５に記載の発明は、プリント配線板を識別する情報およびプリント配線板に関連する情報を記憶したデータベース部と、プリント配線板を識別する情報により識別されたプリント配線板のレイアウトおよび識別されたプリント配線板に関連する情報を表示可能な表示部とを備え、プリント配線板に関連する情報のうち任意の情報が指定された場合、表示部に表示されるプリント配線板のレイアウト上に指定された情報に対応する直感的に認識可能な表示を行う第一の情報表示手段と、プリント配線板のレイアウト上において任意の位置が指定された場合、プリント配線板に関連する情報のうち指定された位置に対応する情報を表示部に表示する第二の情報表示手段とを有することにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させるプリント配線板作業関連情報表示システムを提供することを目的としている。
【００２７】
請求項１６に記載の発明は、請求項１３または請求項１５のいずれか一項に記載のプリント配線板作業関連情報表示システムにおいて、第一の情報表示手段は、情報指定手段により指定された情報に対応する直感的に認識可能な表示を、第一の情報指定手段により指定されなかった情報に対応する直感的に認識可能な表示と区別した態様で行うことにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させるプリント配線板作業関連情報表示システムを提供することを目的としている。
【００２８】
請求項１７に記載の発明は、請求項１６に記載のプリント配線板作業関連情報表示システムにおいて、第一の情報表示手段は、情報指定手段により指定された情報に対応する直感的に認識可能な表示と、第一の情報指定手段により指定されなかった情報に対応する直感的に認識可能な表示とを色により区別することにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させるプリント配線板作業関連情報表示システムを提供することを目的としている。
【００２９】
請求項１８に記載の発明は、請求項１３ないし請求項１５に記載のプリント配線板作業関連情報表示システムにおいて、プリント配線板に関連する情報は、前記プリント配線板に設置される部品の「部品を特定する情報」、およびプリント配線板上に配置される部品に関する「組付け箇所を特定する情報」、およびプリント配線板上に配置される部品に関する「接続箇所を特定する情報」、および「部品を特定する情報」と「組付け箇所を特定する情報」と「接続箇所を特定する情報」とに対応する前記プリント配線板の「レイアウトの位置を示す情報」の少なくともいずれか一つの情報であることにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させるプリント配線板作業関連情報表示システムを提供することを目的としている。
【００３０】
請求項１９に記載の発明は、請求項１６に記載のプリント配線板作業関連情報表示システムにおいて、プリント配線板に関連する情報は、前記プリント配線板に設置される部品の「部品を特定する情報」、およびプリント配線板上に配置される部品に関する「組付け箇所を特定する情報」、およびプリント配線板上に配置される部品に関する「接続箇所を特定する情報」、および「部品を特定する情報」と「組付け箇所を特定する情報」と「接続箇所を特定する情報」とに対応する前記プリント配線板の「レイアウトの位置を示す情報」の少なくともいずれか一つの情報であることにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させるプリント配線板作業関連情報表示システムを提供することを目的としている。
【００３１】
請求項２０に記載の発明は、請求項１７に記載のプリント配線板作業関連情報表示システムにおいて、プリント配線板に関連する情報は、前記プリント配線板に設置される部品の「部品を特定する情報」、およびプリント配線板上に配置される部品に関する「組付け箇所を特定する情報」、およびプリント配線板上に配置される部品に関する「接続箇所を特定する情報」、および「部品を特定する情報」と「組付け箇所を特定する情報」と「接続箇所を特定する情報」とに対応する前記プリント配線板の「レイアウトの位置を示す情報」の少なくともいずれか一つの情報であることにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させるプリント配線板作業関連情報表示システムを提供することを目的としている。
【００３２】
請求項２１に記載の発明は、プリント配線板を識別する情報およびプリント配線板に関連する情報を記憶する工程と、プリント配線板を識別する工程と、識別したプリント配線板のレイアウトを表示する工程と、識別したプリント配線板に関連する情報を取得する工程と、取得したプリント配線板に関連する情報のうち任意の情報が指定された場合、指定された情報に対応する直感的に認識可能な表示をプリント配線板のレイアウト上に行う工程とを含むことにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させるプリント配線板作業関連情報表示方法を提供することを目的としている。
【００３３】
請求項２２に記載の発明は、プリント配線板を識別する情報およびプリント配線板に関連する情報を記憶する工程と、プリント配線板を識別する工程と、識別したプリント配線板のレイアウトを表示する工程と、識別したプリント配線板に関連する情報を取得する工程と、プリント配線板のレイアウト上において任意の位置が指定された場合、取得したプリント配線板に関連する情報のうち指定された位置に対応する情報を表示する工程とを含むことにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させるプリント配線板作業関連情報表示方法を提供することを目的としている。
【００３４】
請求項２３に記載の発明は、プリント配線板を識別する情報およびプリント配線板に関連する情報を記憶する工程と、プリント配線板を識別する工程と、識別したプリント配線板のレイアウトを表示する工程と、識別したプリント配線板に関連する情報を取得する工程と、取得したプリント配線板に関連する情報のうち任意の情報が指定された場合、指定された情報に対応する直感的に認識可能な表示をプリント配線板のレイアウト上に行う工程と、プリント配線板のレイアウト上において任意の位置が指定された場合、取得したプリント配線板に関連する情報のうち指定された位置に対応する情報を表示する工程とを含むことにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させるプリント配線板作業関連情報表示方法を提供することを目的としている。
【００３５】
請求項２４に記載の発明は、請求項２１ないし請求項２３に記載のプリント配線板作業関連情報表示方法において、任意に指定された情報に対応する直感的に認識可能な表示を、指定されなかった情報に対応する直感的に認識可能な表示と区別した態様で表示することにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させるプリント配線板作業関連情報表示方法を提供することを目的としている。
【００３６】
請求項２５に記載の発明は、プリント配線板を識別する情報およびプリント配線板に関連する情報を記憶する工程と、プリント配線板を識別する工程と、識別したプリント配線板のレイアウトを表示する工程と、識別したプリント配線板に関連する情報を取得する工程と、取得したプリント配線板に関連する情報のうち任意の情報が指定された場合、指定された情報に対応する直感的に認識可能な表示をプリント配線板のレイアウト上に行う工程と、指定された情報に対応する直感的に認識可能な表示に基づいて、プリント配線板に部品を実装する工程およびプリント配線板を検査する工程のうち少なくとも一方の工程とを含むことにより、プリント配線板の組立・検査等の製造作業での作業する位置をより明確にして、作業ミスや作業不可能状態の発生をより防止し、また、作業位置を探す時間をより短くして、作業時間をより短縮させ、作業性をより向上させるプリント回路実装品の製造方法を提供することを目的としている。
【００３７】
請求項２６に記載の発明は、プリント配線板を識別する情報およびプリント配線板に関連する情報を記憶する工程と、プリント配線板を識別する工程と、識別したプリント配線板のレイアウトを表示する工程と、識別したプリント配線板に関連する情報を取得する工程と、取得したプリント配線板に関連する情報から任意の情報が指定された場合、指定された情報に対応する直感的に認識可能な表示をプリント配線板のレイアウト上に行う工程、および、プリント配線板のレイアウト上において任意の位置が指定された場合、取得したプリント配線板に関連する情報のうち指定された位置に対応する情報を表示する工程のうち少なくとも一方の工程と、指定された情報に対応する直感的に認識可能な表示および指定された位置に対応する情報の表示のうち少なくとも一方の表示に基づいて、プリント配線板に部品を実装する工程およびプリント配線板を検査する工程のうち少なくとも一方の工程と、を含むことにより、プリント配線板の組立・検査等の製造作業での作業する位置をより明確にして、作業ミスや作業不可能状態の発生をより防止し、また、作業位置を探す時間をより短くして、作業時間をより短縮させ、作業性をより向上させるプリント回路実装品の製造方法を提供することを目的としている。
【００３８】
請求項２７に記載の発明は、プリント配線板を識別する情報およびプリント配線板に関連する情報を記憶する工程と、プリント配線板を識別する工程と、識別したプリント配線板のレイアウトを表示する工程と、識別したプリント配線板に関連する情報を取得する工程と、取得したプリント配線板に関連する情報のうち任意の情報が指定された場合、指定された情報に対応する直感的に認識可能な表示をプリント配線板のレイアウト上に行う工程と、プリント配線板のレイアウト上において任意の位置が指定された場合、取得したプリント配線板に関連する情報のうち指定された位置に対応する情報を表示する工程と、指定された情報に対応する直感的に認識可能な表示および指定された位置に対応する情報の表示に基づいて、プリント配線板に部品を実装する工程およびプリント配線板を検査する工程のうち少なくとも一方の工程とを含むことにより、プリント配線板の組立・検査等の製造作業での作業する位置をより明確にして、作業ミスや作業不可能状態の発生をより防止し、また、作業位置を探す時間をより短くして、作業時間をより短縮させ、作業性をより向上させるプリント回路実装品の製造方法を提供することを目的としている。
【００３９】
請求項２８に記載の発明は、プリント配線板を識別する情報およびプリント配線板に関連する情報を記憶したデータベースを有する、またはデータベースと接続可能であり、かつプリント配線板のレイアウトの表示を行う表示装置に接続されるコンピュータに命令を実行させるコンピュータプログラムであって、プリント配線板を識別する手順と、識別したプリント配線板のレイアウトを表示装置に表示する手順と、識別したプリント配線板に関連する情報を取得する手順と、取得したプリント配線板に関連する情報のうち任意の情報が指定された場合、表示装置に表示されるプリント配線板のレイアウト上に、指定された情報に対応する直感的に認識可能な表示を行う手順とを実行させることにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させる表示方法をコンピュータに実行させるコンピュータプログラムを提供することを目的としている。
【００４０】
請求項２９に記載の発明は、プリント配線板を識別する情報およびプリント配線板に関連する情報を記憶したデータベースを有する、またはデータベースと接続可能であり、かつプリント配線板のレイアウトの表示を行う表示装置に接続されるコンピュータに命令を実行させるコンピュータプログラムであって、プリント配線板を識別する手順と、識別したプリント配線板のレイアウトを表示装置に表示する手順と、識別したプリント配線板に関連する情報を取得する手順と、プリント配線板のレイアウト上において任意の位置が指定された場合、取得したプリント配線板に関連する情報のうち指定された位置に対応する情報を表示装置に表示する手順とを実行させることにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させる表示方法をコンピュータに実行させるコンピュータプログラムを提供することを目的としている。
【００４１】
請求項３０に記載の発明は、プリント配線板を識別する情報およびプリント配線板に関連する情報を記憶したデータベースを有する、またはデータベースと接続可能であり、かつプリント配線板のレイアウトの表示を行う表示装置に接続されるコンピュータに命令を実行させるコンピュータプログラムであって、プリント配線板を識別する手順と、識別したプリント配線板のレイアウトを表示装置に表示する手順と、識別したプリント配線板に関連する情報を取得する手順と、取得したプリント配線板に関連する情報のうち任意の情報が指定された場合、表示装置に表示されるプリント配線板のレイアウト上に、指定された情報に対応する直感的に認識可能な表示を行う手順と、プリント配線板のレイアウト上において任意の位置が指定された場合、取得したプリント配線板に関連する情報のうち指定された位置に対応する情報を表示装置に表示する手順とを実行させることにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させる表示方法をコンピュータに実行させるコンピュータプログラムを提供することを目的としている。
【００４２】
請求項３１に記載の発明は、請求項２８ないし請求項３０のいずれか一項に記載のコンピュータプログラムを記録し、かつコンピュータにより読み取りが可能であることにより、プリント配線板の組立・検査・修理作業での作業する位置をより明確にして、作業ミスや作業不可能状態の発生をより防止し、また、作業位置を探す時間をより短くして、作業時間をより短縮させ、作業性をより向上させる表示方法を実行させるコンピュータプログラムが記憶された記録媒体を提供することを目的としている。
【課題を解決するための手段】
【００４３】
請求項１に記載の発明の作業関連情報表示方法は、プリント配線板の部品の組立・検査・修理等の作業における当該部品の組付け・確認・交換または修正等の作業の位置に関連する情報を表示する作業関連情報表示方法であって、前記プリント配線板を構成する部品の「部品を特定する情報」及びプリント配線板の「組付け箇所を特定する情報」を当該プリント配線板の「レイアウト位置を示す情報」に対比させた対象製品設計データを用意し、任意の「部品を特定する情報」または「組付け箇所を特定する情報」またはこれらの情報を組み合わせた「組み合わせ情報」が指定されると、前記対象製品設計データに基づいて、当該指定された情報に対応する部品を他の部品と区別した状態で、全ての部品をプリント配線板のレイアウト上に表示することにより、上記目的を達成している。
【００４４】
請求項２に記載の発明の作業関連情報表示方法は、プリント配線板の部品の組立・検査・修理等の作業における当該部品の組付け・確認・交換または修正等の作業の位置に関連する情報を表示する作業関連情報表示方法であって、前記プリント配線板を構成する部品の「部品を特定する情報」及びプリント配線板の「組付け箇所を特定する情報」を当該プリント配線板の「レイアウト位置を示す情報」に対比させた対象製品設計データを用意し、前記プリント配線板のレイアウト上で任意の位置が指定されると、前記対象製品設計データに基づいて、当該指定された位置に存在する部品の「部品を特定する情報」または当該指定された位置に存在する組付け箇所の「組付け箇所を特定する情報」を表示することにより、上記目的を達成している。
【００４５】
請求項３に記載の発明の作業関連情報表示方法は、プリント配線板の部品の組立・検査・修理等の作業における当該部品の組付け・確認・交換または修正等の作業の位置に関連する情報を表示する作業関連情報表示方法であって、前記プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させた対象製品設計データを用意し、任意の「部品を特定する情報」または「組付け箇所を特定する情報」または「接続箇所を特定する情報」またはこれらの情報を組み合わせた「組み合わせ情報」が指定されると、前記対象製品設計データに基づいて、当該指定された情報に対応する接続箇所を他の接続箇所と区別した状態で、全ての接続箇所をプリント配線板のレイアウト上に表示することにより、上記目的を達成している。
【００４６】
請求項４に記載の発明の作業関連情報表示方法は、プリント配線板の部品の組立・検査・修理等の作業における当該部品の組付け・確認・交換または修正等の作業の位置に関連する情報を表示する作業関連情報表示方法であって、前記プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させた対象製品設計データを用意し、前記プリント配線板のレイアウト上で任意の位置が指定されると、前記対象製品設計データに基づいて、当該指定された位置に存在する部品の「部品を特定する情報」または当該指定された位置に存在する組付け箇所の「組付け箇所を特定する情報」または当該指定された位置に存在する接続箇所の「接続箇所を特定する情報」を表示することにより、上記目的を達成している。
【００４７】
請求項５に記載の発明の作業関連情報表示方法は、プリント配線板の部品の組立・検査・修理等の作業における当該部品の組付け・確認・交換または修正等の作業の位置に関連する情報を表示する作業関連情報表示方法であって、前記プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させた対象製品設計データを用意し、任意の「部品を特定する情報」または「組付け箇所を特定する情報」または「接続箇所を特定する情報」またはこれらの情報を組み合わせた「組み合わせ情報」が指定されると、前記対象製品設計データに基づいて、当該指定された情報に対応する部品・接続箇所を他の部品・接続箇所と区別した状態で、全ての部品・接続箇所をプリント配線板のレイアウト上に表示することにより、上記目的を達成している。
【００４８】
請求項６に記載の発明の作業関連情報表示方法は、プリント配線板の部品の組立・検査・修理等の作業における当該部品の組付け・確認・交換または修正等の作業の位置に関連する情報を表示する作業関連情報表示方法であって、前記プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させるとともに、組立作業実施時に部品を組付けたか否かを示す組付情報を対比させた対象製品設計データを用意し、任意の「部品を特定する情報」または「組付け箇所を特定する情報」または「接続箇所を特定する情報」またはこれらの情報を組み合わせた「組み合わせ情報」が指定されると、前記対象製品設計データに基づいて、当該指定された情報に対応する部品が組付けられているかチェックして、部品が組み付けられていると、当該部品を他の部品と区別した状態で、部品が組み付けられていないと、当該組み付けられるべき部品の接続箇所を他の接続箇所と区別した状態で、全ての部品・接続箇所をプリント配線板のレイアウト上で表示することにより、上記目的を達成している。
【００４９】
請求項７に記載の発明の作業関連情報表示システムは、プリント配線板の部品の組立・検査・修理等の作業における当該部品の組付け・確認・交換または修正等の作業の位置に関連する情報を表示する作業関連情報表示システムであって、プリント配線板の設計データを記憶するデータベース手段と、当該データベース手段の設計データからプリント配線板を構成する部品の「部品を特定する情報」及びプリント配線板の「組付け箇所を特定する情報」をプリント配線板の「レイアウト位置を示す情報」に対比させた対象製品設計データを収集するデータ収集手段と、全ての部品をプリント配線板のレイアウト上で表示するデータ表示手段と、を備え、前記データ表示手段が、任意の「部品を特定する情報」または「組付け箇所を特定する情報」またはこれらの情報を組み合わせた「組み合わせ情報」が入力される抽出設計データ入力手段と、当該抽出設計データ入力手段から入力された情報に対応する組付け箇所識別因子を前記データ収集手段の収集した前記対象製品設計データから抽出する識別因子抽出手段と、当該識別因子抽出手段の抽出した識別因子に対応する部品を他の部品と区別した状態で全ての部品をプリント配線板のレイアウト上で表示する位置表示手段と、を有することにより、上記目的を達成している。
【００５０】
請求項８に記載の発明の作業関連情報表示システムは、プリント配線板の部品の組立・検査・修理等の作業における当該部品の組付け・確認・交換または修正等の作業の位置に関連する情報を表示する作業関連情報表示システムであって、プリント配線板の設計データを記憶するデータベース手段と、当該データベース手段の設計データからプリント配線板を構成する部品の「部品を特定する情報」及びプリント配線板の「組付け箇所を特定する情報」をプリント配線板の「レイアウト位置を示す情報」に対比させた対象製品設計データを収集するデータ収集手段と、抽出情報を表示するデータ表示手段と、を備え、前記データ表示手段が、プリント配線板のレイアウト上で任意の位置が入力される抽出位置入力手段と、当該抽出位置入力手段から入力された位置に存在する部品の「部品を特定する情報」または入力された位置に存在する組付け箇所の「組付け箇所を特定する情報」を前記データ収集手段の収集した前記対象製品設計データから抽出する設計データ抽出手段と、当該設計データ抽出手段の抽出した情報を表示する設計データ表示手段と、を有することにより、上記目的を達成している。
【００５１】
請求項９に記載の発明の作業関連情報表示システムは、プリント配線板の部品の組立・検査・修理等の作業における当該部品の組付け・確認・交換または修正等の作業の位置に関連する情報を表示する作業関連情報表示システムであって、プリント配線板の設計データを記憶するデータベース手段と、当該データベース手段の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集するデータ収集手段と、全ての接続箇所をプリント配線板のレイアウト上で表示するデータ表示手段と、を備え、前記データ表示手段が、任意の「部品を特定する情報」または「組付け箇所を特定する情報」または「接続箇所を特定する情報」またはこれらの情報を組み合わせた「組み合わせ情報」が入力される抽出設計データ入力手段と、当該抽出設計データ入力手段から入力された情報に対応する組付け箇所識別因子・接続箇所識別因子を前記データ収集手段の収集した前記対象製品設計データから抽出する識別因子抽出手段と、当該識別因子抽出手段の抽出した識別因子に対応する接続箇所を他の接続箇所と区別した状態で、全ての接続箇所をプリント配線板のレイアウト上で表示する位置表示手段と、を有することにより、上記目的を達成している。
【００５２】
請求項１０に記載の発明の作業関連情報表示システムは、プリント配線板の部品の組立・検査・修理等の作業における当該部品の組付け・確認・交換または修正等の作業の位置に関連する情報を表示する作業関連情報表示システムであって、プリント配線板の設計データを記憶するデータベース手段と、当該データベース手段の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集するデータ収集手段と、抽出情報を表示するデータ表示手段と、を備え、前記データ表示手段が、プリント配線板のレイアウト上で任意の位置が入力される抽出位置入力手段と、当該抽出位置入力手段から入力された位置に存在する部品の「部品を特定する情報」または当該入力された位置に存在する組み付け箇所の「組付け箇所を特定する情報」または当該入力された位置に存在する接続箇所の「接続箇所を特定する情報」を前記データ収集手段の収集した前記対象製品設計データから抽出する設計データ抽出手段と、当該設計データ抽出手段の抽出した情報を表示する設計データ表示手段と、を有することにより、上記目的を達成している。
【００５３】
請求項１１に記載の発明の作業関連情報表示システムは、プリント配線板の部品の組立・検査・修理等の作業における当該部品の組付け・確認・交換または修正等の作業の位置に関連する情報を表示する作業関連情報表示システムであって、プリント配線板の設計データを記憶するデータベース手段と、当該データベース手段の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集するデータ収集手段と、全ての部品・接続箇所をプリント配線板のレイアウト上で表示するデータ表示手段と、を備え、前記データ表示手段が、任意の「部品を特定する情報」または「組付け箇所を特定する情報」または「接続箇所を特定する情報」またはこれらの情報を組み合わせた「組み合わせ情報」が入力される抽出設計データ入力手段と、当該抽出設計データ入力手段から入力された情報に対応する組付け箇所識別因子・接続箇所識別因子を前記データ収集手段の収集した前記対象製品設計データから抽出する識別因子抽出手段と、当該識別因子抽出手段の抽出した識別因子に対応する部品・接続箇所を他の部品・接続箇所と区別した状態で、全ての部品・接続箇所をプリント配線板のレイアウト上で表示する位置表示手段と、を有することにより、上記目的を達成している。
【００５４】
請求項１２に記載の発明の作業関連情報表示システムは、プリント配線板の部品の組立・検査・修理等の作業における当該部品の組付け・確認・交換または修正等の作業の位置に関連する情報を表示する作業関連情報表示システムであって、プリント配線板の設計データを記憶するデータベース手段と、当該データベース手段から対象製品設計データを収集するデータ収集手段と、全ての部品・接続箇所をプリント配線板のレイアウト上で表示するデータ表示手段と、を備え、前記データ収集手段が、前記データベース手段の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」と対比させた対象製品設計データを収集する対象製品設計データ収集手段と、当該対象製品設計データに組立作業実施時に部品を組付けたか否かを示す組付情報を入力する対象製品設計データ入力手段と、を有し、前記データ表示手段が、任意の「部品を特定する情報」または「組付け箇所を特定する情報」または「接続箇所を特定する情報」またはこれらの情報を組み合わせた「組み合わせ情報」が入力される抽出設計データ入力手段と、前記データ収集手段の前記組付情報を含む対象製品設計データに基づいて当該抽出設計データ入力手段から入力された情報に対応する部品が組付けられているかチェックして、部品が組み付けられていると、前記部品の組み付け箇所識別因子を、部品が組み付けられていないと、前記部品の接続箇所識別因子を抽出する識別因子抽出手段と、当該識別因子抽出手段の抽出した識別因子に対応する部品・接続箇所を他の部品・接続箇所と区別した状態で、全ての部品・接続箇所をプリント配線板のレイアウト上で表示する位置表示手段と、を有することにより、上記目的を達成している。
【００５５】
請求項１３に記載の発明のプリント配線板作業関連情報表示システムは、プリント配線板を識別する情報および該プリント配線板に関連する情報を記憶したデータベース部と、前記プリント配線板を識別する情報により識別された該プリント配線板のレイアウトおよび識別された該プリント配線板に関連する情報を表示可能な表示部と、を備えたプリント配線板作業関連情報表示システムであって、前記プリント配線板に関連する情報のうち任意の情報が指定された場合、前記表示部に表示される前記プリント配線板のレイアウト上に指定された情報に対応する直感的に認識可能な表示を行う第一の情報表示手段を有することにより、上記目的を達成している。
【００５６】
請求項１４に記載の発明のプリント配線板作業関連情報表示システムは、プリント配線板を識別する情報および該プリント配線板に関連する情報を記憶したデータベース部と、前記プリント配線板を識別する情報により識別された該プリント配線板のレイアウトおよび識別された該プリント配線板に関連する情報を表示可能な表示部と、を備えたプリント配線板作業関連情報表示システムであって、前記プリント配線板のレイアウト上において任意の位置が指定された場合、該プリント配線板に関連する情報のうち指定された位置に対応する情報を前記表示部に表示する第二の情報表示手段を有することにより、上記目的を達成している。
【００５７】
請求項１５に記載の発明のプリント配線板作業関連情報表示システムは、プリント配線板を識別する情報および該プリント配線板に関連する情報を記憶したデータベース部と、前記プリント配線板を識別する情報により識別された該プリント配線板のレイアウトおよび識別された該プリント配線板に関連する情報を表示可能な表示部と、を備えたプリント配線板作業関連情報表示システムであって、前記プリント配線板に関連する情報のうち任意の情報が指定された場合、前記表示部に表示される前記プリント配線板のレイアウト上に指定された情報に対応する直感的に認識可能な表示を行う第一の情報表示手段と、前記プリント配線板のレイアウト上において任意の位置が指定された場合、該プリント配線板に関連する情報のうち指定された位置に対応する情報を前記表示部に表示する第二の情報表示手段とを有することにより、上記目的を達成している。
【００５８】
請求項１６に記載の発明のプリント配線板作業関連情報表示システムは、請求項１３または請求項１５のいずれか一項に記載のプリント配線板作業関連情報表示システムにおいて、前記第一の情報表示手段は、指定された情報に対応する直感的に認識可能な表示を、指定されなかった情報に対応する直感的に認識可能な表示と区別した態様で行うことにより、上記目的を達成している。
【００５９】
請求項１７に記載の発明のプリント配線板作業関連情報表示システムは、請求項１６に記載のプリント配線板作業関連情報表示システムにおいて、前記第一の情報表示手段は、指定された情報に対応する直感的に認識可能な表示と、指定されなかった情報に対応する直感的に認識可能な表示とを色により区別することにより、上記目的を達成している。
【００６０】
請求項１８に記載の発明のプリント配線板作業関連情報表示システムは、請求項１３ないし請求項１５のいずれか一項に記載のプリント配線板作業関連情報表示システムにおいて、前記プリント配線板に関連する情報は、該プリント配線板に設置される部品の「部品を特定する情報」、および前記プリント配線板上に配置される部品に関する「組付け箇所を特定する情報」、および前記プリント配線板上に配置される部品に関する「接続箇所を特定する情報」、および「部品を特定する情報」と「組付け箇所を特定する情報」と「接続箇所を特定する情報」とに対応する前記プリント配線板の「レイアウトの位置を示す情報」の少なくともいずれか一つの情報であることにより、上記目的を達成している。
【００６１】
請求項１９に記載の発明のプリント配線板作業関連情報表示システムは、請求項１６に記載のプリント配線板作業関連情報表示システムにおいて、前記プリント配線板に関連する情報は、該プリント配線板に設置される部品の「部品を特定する情報」、および前記プリント配線板上に配置される部品に関する「組付け箇所を特定する情報」、および前記プリント配線板上に配置される部品に関する「接続箇所を特定する情報」、および「部品を特定する情報」と「組付け箇所を特定する情報」と「接続箇所を特定する情報」とに対応する前記プリント配線板の「レイアウトの位置を示す情報」の少なくともいずれか一つの情報であることにより、上記目的を達成している。
【００６２】
請求項２０に記載の発明のプリント配線板作業関連情報表示システムは、請求項１７に記載のプリント配線板作業関連情報表示システムにおいて、前記プリント配線板に関連する情報は、該プリント配線板に設置される部品の「部品を特定する情報」、および前記プリント配線板上に配置される部品に関する「組付け箇所を特定する情報」、および前記プリント配線板上に配置される部品に関する「接続箇所を特定する情報」、および「部品を特定する情報」と「組付け箇所を特定する情報」と「接続箇所を特定する情報」とに対応する前記プリント配線板の「レイアウトの位置を示す情報」の少なくともいずれか一つの情報であることにより、上記目的を達成している。
【００６３】
請求項２１に記載の発明のプリント配線板作業関連情報表示方法は、プリント配線板を識別する情報および該プリント配線板に関連する情報を記憶する工程と、該プリント配線板を識別する工程と、識別した該プリント配線板のレイアウトを表示する工程と、識別した該プリント配線板に関連する情報を取得する工程と、取得した該プリント配線板に関連する情報のうち任意の情報が指定された場合、指定された情報に対応する直感的に認識可能な表示を該プリント配線板のレイアウト上に行う工程とを含むことにより、上記目的を達成している。
【００６４】
請求項２２に記載の発明のプリント配線板作業関連情報表示方法は、プリント配線板を識別する情報および該プリント配線板に関連する情報を記憶する工程と、該プリント配線板を識別する工程と、識別した該プリント配線板のレイアウトを表示する工程と、識別した該プリント配線板に関連する情報を取得する工程と、該プリント配線板のレイアウト上において任意の位置が指定された場合、取得した該プリント配線板に関連する情報のうち指定された位置に対応する情報を表示する工程とを含むことにより、上記目的を達成している。
【００６５】
請求項２３に記載の発明のプリント配線板作業関連情報表示方法は、プリント配線板を識別する情報および該プリント配線板に関連する情報を記憶する工程と、該プリント配線板を識別する工程と、識別した該プリント配線板のレイアウトを表示する工程と、識別した該プリント配線板に関連する情報を取得する工程と、取得した該プリント配線板に関連する情報のうち任意の情報が指定された場合、指定された情報に対応する直感的に認識可能な表示を該プリント配線板のレイアウト上に行う工程と、該プリント配線板のレイアウト上において任意の位置が指定された場合、取得した該プリント配線板に関連する情報のうち指定された位置に対応する情報を表示する工程とを含むことにより、上記目的を達成している。
【００６６】
請求項２４に記載の発明のプリント配線板作業関連情報表示方法は、請求項２１ないし請求項２３のいずれか一項に記載のプリント配線板作業関連情報表示方法において、任意に指定された情報に対応する直感的に認識可能な表示を、指定されなかった情報に対応する直感的に認識可能な表示と区別した態様で表示することにより、上記目的を達成している。
【００６７】
請求項２５に記載の発明のプリント回路実装品の製造方法は、プリント配線板を識別する情報および該プリント配線板に関連する情報を記憶する工程と、該プリント配線板を識別する工程と、識別した該プリント配線板のレイアウトを表示する工程と、識別した該プリント配線板に関連する情報を取得する工程と、取得した該プリント配線板に関連する情報のうち任意の情報が指定された場合、指定された情報に対応する直感的に認識可能な表示を該プリント配線板のレイアウト上に行う工程と、前記指定された情報に対応する直感的に認識可能な表示に基づいて、前記プリント配線板に部品を実装する工程および該プリント配線板を検査する工程のうち少なくとも一方の工程とを含むことにより、上記目的を達成している。
【００６８】
請求項２６に記載の発明のプリント回路実装品の製造方法は、プリント配線板を識別する情報および該プリント配線板に関連する情報を記憶する工程と、該プリント配線板を識別する工程と、識別した該プリント配線板のレイアウトを表示する工程と、識別した該プリント配線板に関連する情報を取得する工程と、該プリント配線板のレイアウト上において任意の位置が指定された場合、取得した該プリント配線板に関連する情報のうち指定された位置に対応する情報を表示する工程と、前記指定された位置に対応する情報の表示に基づいて、前記プリント配線板に部品を実装する工程および該プリント配線板を検査する工程のうち少なくとも一方の工程とを含むことにより、上記目的を達成している。
【００６９】
請求項２７に記載の発明のプリント回路実装品の製造方法は、プリント配線板を識別する情報および該プリント配線板に関連する情報を記憶する工程と、該プリント配線板を識別する工程と、識別した該プリント配線板のレイアウトを表示する工程と、識別した該プリント配線板に関連する情報を取得する工程と、取得した該プリント配線板に関連する情報のうち任意の情報が指定された場合、指定された情報に対応する直感的に認識可能な表示を該プリント配線板のレイアウト上に行う工程と、該プリント配線板のレイアウト上において任意の位置が指定された場合、取得した該プリント配線板に関連する情報のうち指定された位置に対応する情報を表示する工程と、前記指定された情報に対応する直感的に認識可能な表示および前記指定された位置に対応する情報の表示に基づいて、前記プリント配線板に部品を実装する工程および該プリント配線板を検査する工程のうち少なくとも一方の工程とを含むことにより、上記目的を達成している。
【００７０】
請求項２８に記載の発明のコンピュータプログラムは、プリント配線板を識別する情報および該プリント配線板に関連する情報を記憶したデータベースを有するまたは該データベースと接続可能であり、かつ前記プリント配線板のレイアウトの表示を行う表示装置に接続されるコンピュータに命令を実行させるコンピュータプログラムであって、前記プリント配線板を識別する手順と、識別した該プリント配線板のレイアウトを前記表示装置に表示する手順と、識別した前記プリント配線板に関連する情報を取得する手順と、取得した該プリント配線板に関連する情報のうち任意の情報が指定された場合、前記表示装置に表示される前記プリント配線板のレイアウト上に、指定された情報に対応する直感的に認識可能な表示を行う手順とを実行させることにより、上記目的を達成している。
【００７１】
請求項２９に記載の発明のコンピュータプログラムは、プリント配線板を識別する情報および該プリント配線板に関連する情報を記憶したデータベースを有するまたは該データベースと接続可能であり、かつ前記プリント配線板のレイアウトの表示を行う表示装置に接続されるコンピュータに命令を実行させるコンピュータプログラムであって、前記プリント配線板を識別する手順と、識別した該プリント配線板のレイアウトを前記表示装置に表示する手順と、識別した前記プリント配線板に関連する情報を取得する手順と、該プリント配線板のレイアウト上において任意の位置が指定された場合、取得した該プリント配線板に関連する情報のうち指定された位置に対応する情報を前記表示装置に表示する手順とを実行させることにより、上記目的を達成している。
【００７２】
請求項３０に記載の発明のコンピュータプログラムは、プリント配線板を識別する情報および該プリント配線板に関連する情報を記憶したデータベースを有するまたは該データベースと接続可能であり、かつ前記プリント配線板のレイアウトの表示を行う表示装置に接続されるコンピュータに命令を実行させるコンピュータプログラムであって、前記プリント配線板を識別する手順と、識別した該プリント配線板のレイアウトを前記表示装置に表示する手順と、識別した前記プリント配線板に関連する情報を取得する手順と、取得した該プリント配線板に関連する情報のうち任意の情報が指定された場合、前記表示装置に表示される前記プリント配線板のレイアウト上に、指定された情報に対応する直感的に認識可能な表示を行う手順と、該プリント配線板のレイアウト上において任意の位置が指定された場合、取得した該プリント配線板に関連する情報のうち指定された位置に対応する情報を前記表示装置に表示する手順とを実行させることにより、上記目的を達成している。
【００７３】
請求項３１に記載の発明の記録媒体は、請求項２８ないし請求項３０のいずれか一項に記載のコンピュータプログラムを記録し、かつコンピュータにより読み取りが可能であることにより、上記目的を達成している。
【発明の効果】
【００７４】
請求項１に記載の発明の作業関連情報表示方法によれば、プリント配線板の部品の組立・検査・修理等の作業における当該部品の組付け・確認・交換または修正等の作業の位置に関連する情報を表示するに際して、プリント配線板を構成する部品の「部品を特定する情報」及びプリント配線板の「組付け箇所を特定する情報」を当該プリント配線板の「レイアウト位置を示す情報」に対比させた対象製品設計データを用意し、任意の「部品を特定する情報」または「組付け箇所を特定する情報」またはこれらの情報を組み合わせた「組み合わせ情報」が指定されると、当該対象製品設計データに基づいて、当該指定された情報に対応する部品を他の部品と区別した状態で、全ての部品をプリント配線板のレイアウト上に表示するので、指定された情報に対応する部品を他の部品と区別して全ての部品をプリント配線板のレイアウト上に表示することで、プリント配線板の組立・検査・修理作業での作業位置を明確にすることができ、作業ミスや作業不可能状態の発生を防止することができ、また、作業位置を探す時間を短くして、作業時間を短縮させることができ、作業性を向上させることができる。
【００７５】
請求項２に記載の発明の作業関連情報表示方法によれば、プリント配線板の部品の組立・検査・修理等の作業における当該部品の組付け・確認・交換または修正等の作業の位置に関連する情報を表示するに際して、プリント配線板を構成する部品の「部品を特定する情報」及びプリント配線板の「組付け箇所を特定する情報」を当該プリント配線板の「レイアウト位置を示す情報」に対比させた対象製品設計データを用意し、プリント配線板のレイアウト上で任意の位置が指定されると、対象製品設計データに基づいて、当該指定された位置に存在する部品の「部品を特定する情報」または当該指定された位置に存在する組付け箇所の「組付け箇所を特定する情報」を表示するので、指定された位置に存在する部品の「部品を特定する情報」または指定された位置に存在する組付け箇所の「組付け箇所を特定する情報」を表示することで、プリント配線板の検査で、作業する部品の「部品を特定する情報」または作業する組付け箇所の「組付け箇所を特定する情報」を明確にすることができ、作業ミスや作業不可能状態の発生を防止することができ、また、作業する部品の「部品を特定する情報」または作業する組付け箇所の「組付け箇所を特定する情報」を調査する時間を短くして、作業時間を短縮させることができ、作業性を向上させることができる。
【００７６】
請求項３に記載の発明の作業関連情報表示方法によれば、プリント配線板の部品の組立・検査・修理等の作業における当該部品の組付け・確認・交換または修正等の作業の位置に関連する情報を表示するに際して、プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させた対象製品設計データを用意し、任意の「部品を特定する情報」または「組付け箇所を特定する情報」または「接続箇所を特定する情報」またはこれらの情報を組み合わせた「組み合わせ情報」が指定されると、対象製品設計データに基づいて、当該指定された情報に対応する接続箇所を他の接続箇所と区別した状態で、全ての接続箇所をプリント配線板のレイアウト上に表示するので、プリント配線板の組立・検査・修理作業での作業位置をより一層明確にすることができ、作業ミスや作業不可能状態の発生をより一層防止することができ、また、作業位置を探す時間をより一層短くして、作業時間をより一層短縮させることができ、作業性をより一層向上させることができる。
【００７７】
請求項４に記載の発明の作業関連情報表示方法によれば、プリント配線板の部品の組立・検査・修理等の作業における当該部品の組付け・確認・交換または修正等の作業の位置に関連する情報を表示するに際して、プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させた対象製品設計データを用意し、プリント配線板のレイアウト上で任意の位置が指定されると、対象製品設計データに基づいて、当該指定された位置に存在する部品の「部品を特定する情報」または当該指定された位置に存在する組付け箇所の「組付け箇所を特定する情報」または当該指定された位置に存在する接続箇所の「接続箇所を特定する情報」を表示するので、プリント配線板の検査で作業する接続箇所の「接続箇所を特定する情報」をも明確にすることができ、作業ミスや作業不可能状態の発生をより一層防止することができ、また、作業する部品の「部品を特定する情報」または作業する組付け箇所の「組付け箇所を特定する情報」を調査する時間をより一層短くして、作業時間をより一層短縮させることができ、作業性をより一層向上させることができる。
【００７８】
請求項５に記載の発明の作業関連情報表示方法によれば、プリント配線板の部品の組立・検査・修理等の作業における当該部品の組付け・確認・交換または修正等の作業の位置に関連する情報を表示するに際して、プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させた対象製品設計データを用意し、任意の「部品を特定する情報」または「組付け箇所を特定する情報」または「接続箇所を特定する情報」またはこれらの情報を組み合わせた「組み合わせ情報」が指定されると、対象製品設計データに基づいて、当該指定された情報に対応する部品・接続箇所を他の部品・接続箇所と区別した状態で、全ての部品・接続箇所をプリント配線板のレイアウト上に表示するので、プリント配線板の組立・検査・修理作業での作業する位置をより一層明確にすることができ、作業ミスや作業不可能状態の発生をより一層防止することができ、また、作業位置を探す時間をより一層短くして、作業時間をより一層短縮させることができ、作業性をより一層向上させることができる。
【００７９】
請求項６に記載の発明の作業関連情報表示方法によれば、プリント配線板の部品の組立・検査・修理等の作業における当該部品の組付け・確認・交換または修正等の作業の位置に関連する情報を表示するに際して、プリント配線板を構成する部品の「部品を特定する情報」、プリント配線板の「組付け箇所を特定する情報」及びプリント配線板の「接続箇所を特定する情報」を当該プリント配線板の「レイアウト位置を示す情報」に対比させるとともに、組立作業実施時に部品を組付けたか否かを示す組付情報を対比させた対象製品設計データを用意し、任意の「部品を特定する情報」または「組付け箇所を特定する情報」または「接続箇所を特定する情報」またはこれらの情報を組み合わせた「組み合わせ情報」が指定されると、対象製品設計データに基づいて、当該指定された情報に対応する部品が組付けられているかチェックして、部品が組み付けられていると、当該部品を他の部品と区別した状態で、部品が組み付けられていないと、当該組み付けられるべき部品の接続箇所を他の接続箇所と区別した状態で、全ての部品・接続箇所をプリント配線板のレイアウト上で表示するので、プリント配線板の組立・検査・修理作業での作業する位置をより一層明確にすることができ、作業ミスや作業不可能状態の発生をより一層防止することができ、また、作業位置を探す時間をより一層短くして、作業時間をより一層短縮させることができ、作業性をより一層向上させることができる。
【００８０】
請求項７に記載の発明の作業関連情報表示システムによれば、プリント配線板の部品の組立・検査・修理等の作業における当該部品の組付け・確認・交換または修正等の作業の位置に関連する情報を表示するに際して、データ収集手段が、データベース手段の記憶するプリント配線板の設計データからプリント配線板を構成する部品の「部品を特定する情報」及びプリント配線板の「組付け箇所を特定する情報」をプリント配線板の「レイアウト位置を示す情報」に対比させた対象製品設計データを収集し、全ての部品をプリント配線板のレイアウト上で表示するデータ表示手段の抽出設計データ入力手段から任意の「部品を特定する情報」または「組付け箇所を特定する情報」またはこれらの情報を組み合わせた「組み合わせ情報」が入力されると、データ表示手段の識別因子抽出手段が、当該入力された情報に対応する組付け箇所識別因子をデータ収集手段の収集した対象製品設計データから抽出して、データ表示手段の位置表示手段が、当該抽出した識別因子に対応する部品を他の部品と区別した状態で全ての部品をプリント配線板のレイアウト上で表示するので、指定された情報に対応する部品を他の部品と区別して全ての部品をプリント配線板のレイアウト上に表示することで、プリント配線板の組立・検査・修理作業での作業位置を明確にすることができ、作業ミスや作業不可能状態の発生を防止することができ、また、作業位置を探す時間を短くして、作業時間を短縮させることができ、作業性を向上させることができる。
【００８１】
請求項８に記載の発明の作業関連情報表示システムによれば、プリント配線板の部品の組立・検査・修理等の作業における当該部品の組付け・確認・交換または修正等の作業の位置に関連する情報を表示するに際して、データ収集手段が、データベース手段の記憶するプリント配線板の設計データからプリント配線板を構成する部品の「部品を特定する情報」及びプリント配線板の「組付け箇所を特定する情報」をプリント配線板の「レイアウト位置を示す情報」に対比させた対象製品設計データを収集し、抽出情報を表示するデータ表示手段の抽出位置入力手段からプリント配線板のレイアウト上で任意の位置が入力されると、データ表示手段の設計データ抽出手段が、当該入力された位置に存在する部品の「部品を特定する情報」または入力された位置に存在する組付け箇所の「組付け箇所を特定する情報」をデータ収集手段の収集した対象製品設計データから抽出し、データ表示手段の設計データ表示手段が、当該抽出された情報を表示するので、プリント配線板の検査で、作業する部品の「部品を特定する情報」または作業する組付け箇所の「組付け箇所を特定する情報」を明確にすることができ、作業ミスや作業不可能状態の発生を防止することができ、また、作業する部品の「部品を特定する情報」または作業する組付け箇所の「組付け箇所を特定する情報」を調査する時間を短くして、作業時間を短縮させることができ、作業性を向上させることができる。
【００８２】
請求項９に記載の発明の作業関連情報表示システムによれば、プリント配線板の部品の組立・検査・修理等の作業における当該部品の組付け・確認・交換または修正等の作業の位置に関連する情報を表示するに際して、データ収集手段が、データベース手段の記憶するプリント配線板の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集し、全ての接続箇所をプリント配線板のレイアウト上で表示するデータ表示手段の抽出設計データ入力手段から任意の「部品を特定する情報」または「組付け箇所を特定する情報」または「接続箇所を特定する情報」またはこれらの情報を組み合わせた「組み合わせ情報」が入力されると、データ表示手段の識別因子抽出手段が、当該抽出設計データ入力手段から入力された情報に対応する組付け箇所識別因子・接続箇所識別因子をデータ収集手段の収集した対象製品設計データから抽出して、データ表示手段の位置表示手段が、当該識別因子抽出手段の抽出した識別因子に対応する接続箇所を他の接続箇所と区別した状態で全ての接続箇所をプリント配線板のレイアウト上で表示するので、プリント配線板の組立・検査・修理作業での作業位置をより一層明確にすることができ、作業ミスや作業不可能状態の発生をより一層防止することができ、また、作業位置を探す時間をより一層短くして、作業時間をより一層短縮させることができ、作業性をより一層向上させることができる。
【００８３】
請求項１０に記載の発明の作業関連情報表示システムによれば、プリント配線板の部品の組立・検査・修理等の作業における当該部品の組付け・確認・交換または修正等の作業の位置に関連する情報を表示するに際して、データ収集手段が、データベース手段の記憶するプリント配線板の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集し、抽出情報を表示するデータ表示手段の抽出位置入力手段からプリント配線板のレイアウト上で任意の位置が入力されると、データ表示手段の設計データ抽出手段が、当該入力された位置に存在する部品の「部品を特定する情報」または当該入力された位置に存在する組み付け箇所の「組付け箇所を特定する情報」または当該入力された位置に存在する接続箇所の「接続箇所を特定する情報」をデータ収集手段の収集した対象製品設計データから抽出して、データ表示手段の設計データ表示手段が、当該抽出情報を表示するので、プリント配線板の検査で作業する接続箇所の「接続箇所を特定する情報」をも明確にすることができ、作業ミスや作業不可能状態の発生をより一層防止することができ、また、作業する部品の「部品を特定する情報」または作業する組付け箇所の「組付け箇所を特定する情報」を調査する時間をより一層短くして、作業時間をより一層短縮させることができ、作業性をより一層向上させることができる。
【００８４】
請求項１１に記載の発明の作業関連情報表示システムによれば、プリント配線板の部品の組立・検査・修理等の作業における当該部品の組付け・確認・交換または修正等の作業の位置に関連する情報を表示するに際して、データ収集手段が、データベース手段の記憶するプリント配線板の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集し、全ての部品・接続箇所をプリント配線板のレイアウト上で表示するデータ表示手段の抽出設計データ入力手段から任意の「部品を特定する情報」または「組付け箇所を特定する情報」または「接続箇所を特定する情報」またはこれらの情報を組み合わせた「組み合わせ情報」が入力されると、データ表示手段の識別因子抽出手段が、当該入力された情報に対応する組付け箇所識別因子・接続箇所識別因子をデータ収集手段の収集した対象製品設計データから抽出して、データ表示手段の位置表示手段が、当該抽出された識別因子に対応する部品・接続箇所を他の部品・接続箇所と区別した状態で全ての部品・接続箇所をプリント配線板のレイアウト上で表示するので、プリント配線板の組立・検査・修理作業での作業する位置をより一層明確にすることができ、作業ミスや作業不可能状態の発生をより一層防止することができ、また、作業位置を探す時間をより一層短くして、作業時間をより一層短縮させることができ、作業性をより一層向上させることができる。
【００８５】
請求項１２に記載の発明の作業関連情報表示システムによれば、プリント配線板の部品の組立・検査・修理等の作業における当該部品の組付け・確認・交換または修正等の作業の位置に関連する情報を表示するに際して、データ収集手段の対象製品設計データ収集手段が、データベース手段の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」と対比させた対象製品設計データを収集するとともに、対象製品設計データ入力手段が当該対象製品設計データに組立作業実施時に部品を組付けたか否かを示す組付情報を入力し、全ての部品・接続箇所をプリント配線板のレイアウト上で表示するデータ表示手段の抽出設計データ入力手段から任意の「部品を特定する情報」または「組付け箇所を特定する情報」または「接続箇所を特定する情報」またはこれらの情報を組み合わせた「組み合わせ情報」が入力されると、データ表示手段の識別因子抽出手段が、データ収集手段の組付情報を含む対象製品設計データに基づいて当該抽出設計データ入力手段から入力された情報に対応する部品が組付けられているかチェックして、部品が組み付けられていると、部品の組み付け箇所識別因子を、部品が組み付けられていないと、部品の接続箇所識別因子を抽出し、位置表示手段が、当該識別因子抽出手段の抽出した識別因子に対応する部品・接続箇所を他の部品・接続箇所と区別した状態で、全ての部品・接続箇所をプリント配線板のレイアウト上で表示するので、プリント配線板の組立・検査・修理作業での作業する位置をより一層明確にすることができ、作業ミスや作業不可能状態の発生をより一層防止することができ、また、作業位置を探す時間をより一層短くして、作業時間をより一層短縮させることができ、作業性をより一層向上させることができる。
【００８６】
請求項１３に記載のプリント配線板作業関連情報表示システムによれば、プリント配線板を識別する情報およびプリント配線板に関連する情報を記憶したデータベース部と、プリント配線板を識別する情報により識別されたプリント配線板のレイアウトおよび識別されたプリント配線板に関連する情報を表示可能な表示部とを備え、プリント配線板に関連する情報のうち任意の情報が指定された場合、表示部に表示されるプリント配線板のレイアウト上に指定された情報に対応する直感的に認識可能な表示を行う第一の情報表示手段を有するので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させることができる。
【００８７】
請求項１４に記載のプリント配線板作業関連情報表示システムによれば、プリント配線板を識別する情報およびプリント配線板に関連する情報を記憶したデータベース部と、プリント配線板を識別する情報により識別されたプリント配線板のレイアウトおよび識別されたプリント配線板に関連する情報を表示可能な表示部とを備え、プリント配線板のレイアウト上において任意の位置が指定された場合、プリント配線板に関連する情報のうち指定された位置に対応する情報を表示部に表示する第二の情報表示手段を有するので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させることができる。
【００８８】
請求項１５に記載のプリント配線板作業関連情報表示システムによれば、プリント配線板を識別する情報およびプリント配線板に関連する情報を記憶したデータベース部と、プリント配線板を識別する情報により識別されたプリント配線板のレイアウトおよび識別されたプリント配線板に関連する情報を表示可能な表示部とを備え、プリント配線板に関連する情報のうち任意の情報が指定された場合、表示部に表示されるプリント配線板のレイアウト上に指定された情報に対応する直感的に認識可能な表示を行う第一の情報表示手段と、プリント配線板のレイアウト上において任意の位置が指定された場合、プリント配線板に関連する情報のうち指定された位置に対応する情報を表示部に表示する第二の情報表示手段とを有するので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させることができる。
【００８９】
請求項１６に記載のプリント配線板作業関連情報表示システムによれば、第一の情報表示手段は、情報指定手段により指定された情報に対応する直感的に認識可能な表示を、第一の情報指定手段により指定されなかった情報に対応する直感的に認識可能な表示と区別した態様で行うので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させることができる。
【００９０】
請求項１７に記載のプリント配線板作業関連情報表示システムによれば、第一の情報表示手段は、情報指定手段により指定された情報に対応する直感的に認識可能な表示と、第一の情報指定手段により指定されなかった情報に対応する直感的に認識可能な表示とを色により区別するので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させることができる。
【００９１】
請求項１８に記載のプリント配線板作業関連情報表示システムによれば、プリント配線板に関連する情報は、前記プリント配線板に設置される部品の「部品を特定する情報」、およびプリント配線板上に配置される部品に関する「組付け箇所を特定する情報」、およびプリント配線板上に配置される部品に関する「接続箇所を特定する情報」、および「部品を特定する情報」と「組付け箇所を特定する情報」と「接続箇所を特定する情報」とに対応する前記プリント配線板の「レイアウトの位置を示す情報」の少なくともいずれか一つの情報であるので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させることができる。
【００９２】
請求項１９に記載のプリント配線板作業関連情報表示システムによれば、プリント配線板に関連する情報は、前記プリント配線板に設置される部品の「部品を特定する情報」、およびプリント配線板上に配置される部品に関する「組付け箇所を特定する情報」、およびプリント配線板上に配置される部品に関する「接続箇所を特定する情報」、および「部品を特定する情報」と「組付け箇所を特定する情報」と「接続箇所を特定する情報」とに対応する前記プリント配線板の「レイアウトの位置を示す情報」の少なくともいずれか一つの情報であるので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させることができる。
【００９３】
請求項２０に記載のプリント配線板作業関連情報表示システムによれば、プリント配線板に関連する情報は、前記プリント配線板に設置される部品の「部品を特定する情報」、およびプリント配線板上に配置される部品に関する「組付け箇所を特定する情報」、およびプリント配線板上に配置される部品に関する「接続箇所を特定する情報」、および「部品を特定する情報」と「組付け箇所を特定する情報」と「接続箇所を特定する情報」とに対応する前記プリント配線板の「レイアウトの位置を示す情報」の少なくともいずれか一つの情報であるので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させることができる。
【００９４】
請求項２１に記載のプリント配線板作業関連情報表示方法によれば、プリント配線板を識別する情報およびプリント配線板に関連する情報を記憶する工程と、プリント配線板を識別する工程と、識別したプリント配線板のレイアウトを表示する工程と、識別したプリント配線板に関連する情報を取得する工程と、取得したプリント配線板に関連する情報のうち任意の情報が指定された場合、指定された情報に対応する直感的に認識可能な表示をプリント配線板のレイアウト上に行う工程とを含むので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させることができる。
【００９５】
請求項２２に記載のプリント配線板作業関連情報表示方法によれば、プリント配線板を識別する情報およびプリント配線板に関連する情報を記憶する工程と、プリント配線板を識別する工程と、識別したプリント配線板のレイアウトを表示する工程と、識別したプリント配線板に関連する情報を取得する工程と、プリント配線板のレイアウト上において任意の位置が指定された場合、取得したプリント配線板に関連する情報のうち指定された位置に対応する情報を表示する工程とを含むので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させることができる。
【００９６】
請求項２３に記載のプリント配線板作業関連情報表示方法によれば、プリント配線板を識別する情報およびプリント配線板に関連する情報を記憶する工程と、プリント配線板を識別する工程と、識別したプリント配線板のレイアウトを表示する工程と、識別したプリント配線板に関連する情報を取得する工程と、取得したプリント配線板に関連する情報のうち任意の情報が指定された場合、指定された情報に対応する直感的に認識可能な表示をプリント配線板のレイアウト上に行う工程と、プリント配線板のレイアウト上において任意の位置が指定された場合、取得したプリント配線板に関連する情報のうち指定された位置に対応する情報を表示する工程とを含むので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させることができる。
【００９７】
請求項２４に記載のプリント配線板作業関連情報表示方法によれば、任意に指定された情報に対応する直感的に認識可能な表示を、指定されなかった情報に対応する直感的に認識可能な表示と区別した態様で表示するので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させることができる。
【００９８】
請求項２５に記載のプリント回路実装品の製造方法によれば、プリント配線板を識別する情報およびプリント配線板に関連する情報を記憶する工程と、プリント配線板を識別する工程と、識別したプリント配線板のレイアウトを表示する工程と、識別したプリント配線板に関連する情報を取得する工程と、取得したプリント配線板に関連する情報のうち任意の情報が指定された場合、指定された情報に対応する直感的に認識可能な表示をプリント配線板のレイアウト上に行う工程と、指定された情報に対応する直感的に認識可能な表示に基づいて、プリント配線板に部品を実装する工程およびプリント配線板を検査する工程のうち少なくとも一方の工程とを含むので、プリント配線板の組立・検査等の製造作業での作業する位置をより明確にすることができ、作業ミスや作業不可能状態の発生をより防止することができ、また、作業位置を探す時間をより短くして、作業時間をより短縮させることができ、作業性をより向上させることができる。
【００９９】
請求項２６に記載のプリント回路実装品の製造方法によれば、プリント配線板を識別する情報およびプリント配線板に関連する情報を記憶する工程と、プリント配線板を識別する工程と、識別したプリント配線板のレイアウトを表示する工程と、識別したプリント配線板に関連する情報を取得する工程と、取得したプリント配線板に関連する情報から任意の情報が指定された場合、指定された情報に対応する直感的に認識可能な表示をプリント配線板のレイアウト上に行う工程、および、プリント配線板のレイアウト上において任意の位置が指定された場合、取得したプリント配線板に関連する情報のうち指定された位置に対応する情報を表示する工程のうち少なくとも一方の工程と、指定された情報に対応する直感的に認識可能な表示および指定された位置に対応する情報の表示のうち少なくとも一方の表示に基づいて、プリント配線板に部品を実装する工程およびプリント配線板を検査する工程のうち少なくとも一方の工程と、を含むので、プリント配線板の組立・検査等の製造作業での作業する位置をより明確にすることができ、作業ミスや作業不可能状態の発生をより防止することができ、また、作業位置を探す時間をより短くして、作業時間をより短縮させることができ、作業性をより向上させることができる。
【０１００】
請求項２７に記載のプリント回路実装品の製造方法によれば、プリント配線板を識別する情報およびプリント配線板に関連する情報を記憶する工程と、プリント配線板を識別する工程と、識別したプリント配線板のレイアウトを表示する工程と、識別したプリント配線板に関連する情報を取得する工程と、取得したプリント配線板に関連する情報のうち任意の情報が指定された場合、指定された情報に対応する直感的に認識可能な表示をプリント配線板のレイアウト上に行う工程と、プリント配線板のレイアウト上において任意の位置が指定された場合、取得したプリント配線板に関連する情報のうち指定された位置に対応する情報を表示する工程と、指定された情報に対応する直感的に認識可能な表示および指定された位置に対応する情報の表示に基づいて、プリント配線板に部品を実装する工程およびプリント配線板を検査する工程のうち少なくとも一方の工程とを含むので、プリント配線板の組立・検査等の製造作業での作業する位置をより明確にすることができ、作業ミスや作業不可能状態の発生をより防止することができ、また、作業位置を探す時間をより短くして、作業時間をより短縮させることができ、作業性をより向上させることができる。
【０１０１】
請求項２８に記載のコンピュータプログラムによれば、プリント配線板を識別する情報およびプリント配線板に関連する情報を記憶したデータベースを有する、またはデータベースと接続可能であり、かつプリント配線板のレイアウトの表示を行う表示装置に接続されるコンピュータに命令を実行させるコンピュータプログラムであって、プリント配線板を識別する手順と、識別したプリント配線板のレイアウトを表示装置に表示する手順と、識別したプリント配線板に関連する情報を取得する手順と、取得したプリント配線板に関連する情報のうち任意の情報が指定された場合、表示装置に表示されるプリント配線板のレイアウト上に、指定された情報に対応する直感的に認識可能な表示を行う手順とを実行させるので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させる表示方法をコンピュータに実行させることができる。
【０１０２】
請求項２９に記載のコンピュータプログラムによれば、プリント配線板を識別する情報およびプリント配線板に関連する情報を記憶したデータベースを有する、またはデータベースと接続可能であり、かつプリント配線板のレイアウトの表示を行う表示装置に接続されるコンピュータに命令を実行させるコンピュータプログラムであって、プリント配線板を識別する手順と、識別したプリント配線板のレイアウトを表示装置に表示する手順と、識別したプリント配線板に関連する情報を取得する手順と、プリント配線板のレイアウト上において任意の位置が指定された場合、取得したプリント配線板に関連する情報のうち指定された位置に対応する情報を表示装置に表示する手順とを実行させるので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させる表示方法をコンピュータに実行させることができる。
【０１０３】
請求項３０に記載のコンピュータプログラムによれば、プリント配線板を識別する情報およびプリント配線板に関連する情報を記憶したデータベースを有する、またはデータベースと接続可能であり、かつプリント配線板のレイアウトの表示を行う表示装置に接続されるコンピュータに命令を実行させるコンピュータプログラムであって、プリント配線板を識別する手順と、識別したプリント配線板のレイアウトを表示装置に表示する手順と、識別したプリント配線板に関連する情報を取得する手順と、取得したプリント配線板に関連する情報のうち任意の情報が指定された場合、表示装置に表示されるプリント配線板のレイアウト上に、指定された情報に対応する直感的に認識可能な表示を行う手順と、プリント配線板のレイアウト上において任意の位置が指定された場合、取得したプリント配線板に関連する情報のうち指定された位置に対応する情報を表示装置に表示する手順とを実行させるので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させる表示方法をコンピュータに実行させることができる。
【０１０４】
請求項３１に記載の記憶媒体によれば、請求項２８ないし請求項３０のいずれか一項に記載のコンピュータプログラムを記録し、かつコンピュータにより読み取りが可能であるので、プリント配線板の組立・検査・修理作業での作業する位置をより明確にすることができ、作業ミスや作業不可能状態の発生をより防止することができ、また、作業位置を探す時間をより短くして、作業時間をより短縮させることができ、作業性をより向上させる表示方法を実行させるコンピュータプログラムを記憶することができる。
【発明を実施するための最良の形態】
【０１０５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例】
【０１０６】
図１〜図６は、本発明の作業関連情報表示方法及び作業関連情報表示システムの一実施例を示す図であり、図１は、本発明の作業関連情報表示方法及び作業関連情報表示システムの一実施例を適用した作業関連情報表示システム１のブロック構成図である。
【０１０７】
図１において、作業関連情報表示システム１は、製品の設計データを記憶するデータベース部１０、データベース部１０の設計データから対象製品のデータを収集するデータ収集部２０及び各種情報を表示するデータ表示部３０を備えている。
【０１０８】
上記データベース部（データベース手段）１０は、製品設計データベース１１を蓄積しており、製品設計データベース１１には、プリント配線板組付用の部品の組付箇所設計データ、組付部品設計データ及び接続箇所設計データが登録されている。
【０１０９】
データ収集部（データ収集手段）２０は、対象製品の設計データを入出力する対象製品設計データ入出力部（対象製品設計データ入力手段）２１と、設計データを記憶する対象製品設計データ記憶部２２と、設計データを収集する対象製品設計データ収集部（対象製品設計データ収集手段）２３と、から構成されている。
【０１１０】
データ表示部（データ表示手段）３０は、任意の「部品を特定する情報」、「組付け箇所を特定する情報」、「接続箇所を特定する情報」、または、これらの各情報の少なくとも２つ以上の情報の組み合わせ（以下、「組み合わせ情報」という。）を入力可能である第一の情報指定手段としての抽出設計データ入力部（抽出設計データ入力手段）３１、抽出設計データ入力部３１から入力された情報に対応する識別因子を抽出する識別因子抽出部（識別因子抽出手段）３２、識別因子抽出部３２の抽出した識別因子に対応する部品・接続箇所を他の部品・接続箇所と区別して全ての部品・接続箇所をプリント配線板のレイアウト上で表示する位置表示部（位置表示手段）３３、任意の位置を入力可能である第二の情報指定手段としての抽出位置入力部（抽出位置入力手段）３４、抽出位置入力部３４で入力された位置に対応する「部品を特定する情報」、「組付け箇所を特定する情報」、または、「接続箇所を特定する情報」を抽出する設計データ抽出部（設計データ抽出手段）３５、設計データ抽出部３５の抽出した情報を表示する設計データ表示部（設計データ表示手段）３６及び対象製品の製品識別因子、ライン識別因子を入力可能である第三の情報指定手段としての対象製品識別因子入力部３７から構成されている。
【０１１１】
なお、データ表示部３０は、上記に説明した各部の制御を行うプログラムを格納したＲＯＭ（図示せず。）と、作業用のパラメータを一時的に格納するＲＡＭ（図示せず。）と、前記ＲＯＭに格納したプログラムにしたがって作業関連情報表示システム１各部の制御を行うＣＰＵ（図示せず。）とを備えている。本実施例では、データ表示部３０にＣＰＵ、ＲＯＭ、ＲＡＭを備えたシステムを説明するが、これに限らず、データ収集部２０、データベース部１０の各部または、どちらか一方にＣＰＵ、ＲＯＭ、ＲＡＭを備えるシステムとしてもよい。また、作業関連情報表示システム１におけるデータベース部１０、データ収集部２０、データ表示部３０は個々別々に構成されていてもよいし、一体として構成されていてもよい。また、データベース部１０のみを別体として構成してもよい。
【０１１２】
データ表示部３０では、任意の「部品を特定する情報」または「組付け箇所を特定する情報」または「接続箇所を特定する情報」またはこれらの情報の組み合わせ（「組み合わせ情報」）が抽出設計データ入力部３１から入力されると、識別因子抽出部３２が、データ収集部２０のデータから当該入力された情報に対応する識別因子を抽出し、位置表示部３３が、識別因子抽出部３２の抽出した識別因子に対応する部品・接続箇所を他の部品・接続箇所と区別して、全ての部品・接続箇所をプリント配線板のレイアウト上で表示する。また、データ表示部３０では、プリント配線板のレイアウト上で任意の位置が抽出位置入力部３４から入力されると、設定データ抽出部３５が、抽出位置入力部３４から入力された位置に存在する部品の「部品を特定する情報」、または、入力された位置に存在する組み付け箇所の「組付け箇所を特定する情報」、または、指定された位置に存在する接続箇所の「接続箇所を特定する情報」を抽出して、当該抽出された情報を設計データ表示部３６が表示する。
【０１１３】
そして、データ表示部３０には、例えば、図２に示すように、抽出設計データ入力部３１が画面右側に設けられ、その上側に対象製品識別因子入力部３７が設けられている。また、データ表示部３０には、画面左側に共通画面となっている位置表示部３３と抽出位置入力部３４が設けられ、その下側に設計データ表示部３６が設けられている。なお、図２において、位置表示部３３と抽出位置入力部３４と設計データ表示部３６とを共通画面とし、抽出情報をプリント配線板のレイアウト上で表示してもよい。
【０１１４】
ここで、「部品を特定する情報」とは、組付け部品識別因子、組付け部品特性等の組み合わせ情報をいい、「組付け箇所を特定する情報」とは、組付け箇所識別因子、組付け箇所特性、組付け方法等の組み合わせ情報をいう。また、「接続箇所を特定する情報」とは、接続箇所識別因子、接続箇所特性、検査方法等の組み合わせ情報をいい、「レイアウト位置を示す情報」とは、実装面、実装座標、中心座標等の組み合わせ情報をいう。さらに、「製品識別因子」とは、プリント配線板の番号、プリント配線板の名称等をいい、「ライン識別因子」とは、ライン番号、ライン名称等をいう。また、「組付け部品識別因子」とは、実装部品の番号、品名、メーカーとメーカー型番等をいい、「組付け部品特性」とは、形状概要（ＱＦＰ、ＳＯＰ、ＣＨＩＰ等）、ピン形状概要（フラット、ガルウィング、Ｊリード等）、ピン数、長さ、幅、高さ、ピッチ、材質、マーク、極性、荷姿概要（エンボステープ、トレイ、スティック等）、荷姿寸法、荷姿角度等の組み合わせをいう。さらに、「組付け箇所識別因子」とは、リファレンス番号（アドレス）等をいい、「組付け箇所特性」とは、実装角度等をいう。また、「組付け方法」とは、実装方法、実装工程（設備、人等）等の組み合わせいい、「接続箇所識別因子」とは、ピン番号等をいう。さらに、「接続箇所特性」とは、パッドの形状及び寸法、レジストの形状及び寸法、はんだ印刷マスク開口部の形状及び寸法等の組み合わせをいい、「検査方法」とは、検査方法（外観検査機、インサーキット・テスタ、ファンクション・テスタ、目視等）等をいう。また、「特性」とは、構造的特性や材料特性や特徴等の組み合わせをいい、「構造的特性」とは、形状、寸法、角度、重量、配置等の条件の組み合わせをいう。さらに、「材料特性」とは、材質、表面処理等の条件の組み合わせをいい、「特徴」とは、種類、荷姿等の条件の組み合わせをいう。
【０１１５】
次に、上記データベース部１０、データ収集部２０及びデータ表示部３０の各部を、さらに詳細に説明する。
【０１１６】
データベース部１０の製品設計データベース１１には、製品識別因子、ライン識別因子、組付け箇所識別因子、組付け部品識別因子、組付け箇所特性、組付け方法で表される組付け箇所設計データと、組付け部品識別因子、組付け部品特性で表される組付け部品設計データと、製品識別因子、組付け箇所識別因子、接続箇所識別因子、接続箇所特性、検査方法で表される接続箇所設計データとが登録される。
【０１１７】
また、データ収集部２０の対象製品設計データ収集部２３は、製品設計データベース１１から、データ表示部３０の対象製品識別因子入力部３７で入力された製品識別因子・ライン識別因子に対応する組付け箇所設計データである対象製品組付け箇所設計データと、前記対象製品組付け箇所設計データにある組付け部品識別因子に対応する組付け部品設計データである対象製品組付け部品設計データと、対象製品識別因子入力部３７で入力された製品識別因子に対応する接続箇所設計データである対象製品接続箇所設計データと、を収集する。対象製品設計データ収集部２３は、対象製品組付け箇所設計データと対象製品組付け部品設計データの組付け部品識別因子とを比較し、対象製品組付け箇所設計データに対象製品組付け部品設計データを対応付け、対応付けデータＡとする。また、対象製品設計データ収集部２３は、対応付けデータＡと対象製品接続箇所設計データの組付け箇所識別因子とを比較して、対応付けデータＡに対象製品接続箇所設計データを対応付け、対応付けデータＢとして、対象製品設計データ記憶部２２に記憶させる。なお、この対応付けデータＡは、製品識別因子、ライン識別因子、組付け箇所識別因子、組付け箇所特性、組付け方法、組付け部品特性で表され、対応付けデータＢは、製品識別因子、ライン識別因子、組付け箇所識別因子、組付け箇所特性、組付け方法、組付け部品特性、接続箇所識別因子、接続箇所特性、検査方法で表される。
【０１１８】
対象製品設計データ記憶部２２は、製品識別因子、ライン識別因子、組付け箇所識別因子、組付け箇所特性、組付け方法、組付け部品特性、接続箇所識別因子、接続箇所特性、検査方法、組付け有無で表される対象製品設計データを記憶する。
【０１１９】
上記対象製品設計データ記憶部２２の記憶内容の一例は、図３のように示され、対象製品設計データ記憶部２２は、プリント配線板を構成する部品の「部品を特定する情報」、プリント配線板の「組付箇所を特定する情報」、プリント配線板の「接続箇所を特定する情報」を、プリント配線板の「レイアウト位置を示す情報」と対比させた対象製品設計データに部品を組み付けたかどうかの組付有無情報を記憶する。
【０１２０】
対象製品設計データ入出力部２１は、対象製品設計データ記憶部２２に記憶されているデータを入力、編集、出力させるのに使用される。
【０１２１】
対象製品識別因子入力部３７は、対象製品設計データ収集部２３でデータを収集する対象製品の製品識別因子・ライン識別因子を、製品設計データベース１１に記憶されている製品識別因子・ライン識別因子から選定入力するのに使用され、対象製品識別因子入力部３７での入力は、任意入力、ある範囲を区切った範囲入力、あいまい入力のいずれでも行うことができる。
【０１２２】
抽出設計データ入力部３１は、対象製品設計データ記憶部２２に記憶されている「部品を特定する情報」または「組付け箇所を特定する情報」または「接続箇所を特定する情報」または「組み合わせ情報」を選定入力するのに使用され、抽出設計データ入力部３１での入力は、任意入力、ある範囲を区切った範囲入力、あいまい入力のいずれでも行うことができる。
【０１２３】
識別因子抽出部３２は、抽出設計データ入力部３１で入力された「部品を特定する情報」または「組付け箇所を特定する情報」または「接続箇所を特定する情報」またはこれらの情報の組み合わせ（「組み合わせ情報」）に対応する組付け箇所識別因子・接続箇所識別因子を、対象製品設計データ記憶部２２から抽出する。識別因子抽出部３２は、対象製品設計データ記憶部２２に組付け有無が入力されているとき、抽出設計データ入力部３１で入力された「部品を特定する情報」または「組付け箇所を特定する情報」または「接続箇所を特定する情報」またはこれらの情報の組み合わせ（「組み合わせ情報」）に対応する部品が組付けられていれば当該部品の組付け箇所識別因子を抽出し、対応する部品が組付けられていなければ当該部品の接続箇所識別因子を抽出する。
【０１２４】
位置表示部３３は、識別因子抽出部３２の抽出した識別因子に対応する部品・接続箇所を他の部品・接続箇所と区別し、対象製品設計データ記憶部２２に記憶されているデータを用いて、全ての部品・接続箇所をプリント配線板のレイアウト上で表示する。
【０１２５】
抽出位置入力部３４は、位置表示部３３に表示されているプリント配線板のレイアウト上で任意の位置が選定入力するのに使用され、この入力は、ある範囲を囲った範囲入力であってもよい。
【０１２６】
設計データ抽出部３５は、抽出位置入力部３４で入力された位置に存在する部品の「部品を特定する情報」または入力された位置に存在する組付け箇所の「組付け箇所を特定する情報」または入力された位置に存在する接続箇所の「接続箇所を特定する情報」を、対象製品設計データ記憶部２２から抽出する。
【０１２７】
設計データ表示部３６は、設計データ抽出部３５が抽出した「部品を特定する情報」または「組付け箇所を特定する情報」または「接続箇所を特定する情報」を表示する。なお、プリント配線板に部品を実装したものを「プリント回路実装品（Printed circuit assembly）」という。
【０１２８】
次に、本実施例の作用を説明する。一般的に、組立・検査・修理の作業は、任意の「部品を特定する情報」または「組付け箇所を特定する情報」または「接続箇所を特定する情報」またはこれらの情報の組み合わされた「組み合わせ情報」が指定され、指定された情報に対応する位置をプリント配線板のレイアウト上で探し、当該位置で指定された作業を実施する。また、検査作業では、不良が発生している位置を探し、当該位置に存在する部品の「部品を特定する情報」または当該位置に存在する組付け箇所の「組付け箇所を特定する情報」または当該位置に存在する接続箇所の「接続箇所を特定する情報」を抽出し、当該情報を記録したり、実装されている部品が正しいかどうか当該情報と比較したりする。
【０１２９】
そこで、本実施例の作業関連情報表示システム１は、プリント配線板を構成する部品の「部品を特定する情報」、プリント配線板の「組付け箇所を特定する情報」、プリント配線板の「接続箇所を特定する情報」を、プリント配線板の「レイアウト位置を示す情報」と対比させた対象製品設計データとして記憶（用意）する。作業関連情報表示システム１は、任意の「部品を特定する情報」または「組付け箇所を特定する情報」または「接続箇所を特定する情報」またはこれらの情報の組み合わせた「組み合わせ情報」が指定されると、指定された情報に対応する部品・接続箇所を他の部品・接続箇所と区別した状態で、全ての部品・接続箇所をプリント配線板のレイアウト上で表示する。また、作業関連情報表示システム１は、プリント配線板のレイアウト上で任意の位置が指定されると、指定された位置に存在する部品の「部品を特定する情報」または指定された位置に存在する組付け箇所の「組付け箇所を特定する情報」または指定された位置に存在する接続箇所の「接続箇所を特定する情報」を表示する。このように、作業関連情報表示システム１は、プリント配線板の組立・検査・修理作業で、作業する位置、作業する部品の「部品を特定する情報」または作業する組付け箇所の「組付け箇所を特定する情報」または作業する接続箇所の「接続箇所を特定する情報」を明確にすることができる。このため、作業ミスが防止され、また、作業ができなかったりしないようになる。また、作業関連情報表示システム１は、作業する位置を探す時間、作業する部品の「部品を特定する情報」または作業する組付け箇所の「組付け箇所を特定する情報」または作業する接続箇所の「接続箇所を特定する情報」を調査する時間を短縮させることができる。このため、作業時間が短縮されかつ作業性が向上する。
【０１３０】
すなわち、作業者が、作業台などに設置された作業関連情報表示システム１あるいはシステム１内のデータ表示部３０を操作することにより、データ表示部３０には、実際に作業台などで組立や検査、修理などの作業を行うプリント配線板に対応するプリント配線板のレイアウトが表示される。そして、作業者が、「部品を特定する情報」、「組み付け箇所を特定する情報」および「接続箇所を特定する情報」に含まれる情報のうちで任意の情報を指定することにより、その情報に対応した直感的に認識可能な表示（例えば、部品の形状や部品の接続箇所の形状）が、データ表示部３０に表示されているプリント配線板のレイアウト上に現れる。このとき、プリント配線板のレイアウト上には他の部品が表示されている（作業者のレイアウトの見易さを考慮して他の部品の表示を省略してもよい）。他の部品の表示がされる場合には、作業者が指定した情報に対応する表示を他の部品の表示とは区別した態様で表示する。たとえば、作業者が指定した情報に対応する表示には赤色を用い、他の部品に関する表示は黒色を用いる。または、作業者が指定した情報に対応する表示には実線を用い、他の部品に関する表示は破線を用いるようにしてもよい。また、プリント配線板のレイアウト上の配線が表示されていてもされていなくてもよい。すなわち、作業者が作業を間違わないで行えるよう、できるだけ見やすく分かりやすいレイアウト表示になるようにする。一方、作業者がデータ表示部３０に表示されているプリント配線板のレイアウト上の任意の位置を指定する場合には、その位置に配置される「部品を特定する情報」、「組み付け箇所を特定する情報」および「接続箇所を特定する情報」に含まれる情報をデータ表示部３０に表示することもできる。
【０１３１】
図４に記載のフローチャートは、作業関連情報表示システム１のデータ表示部３０内にあるＲＯＭ（図示せず。）に格納されたプログラムにしたがってＣＰＵ（図示せず。）が実行する制御を示している。なお、プログラム自体は、ＲＯＭに格納されたものに限られず、作業関連情報表示システム１に電源が投入されたときや、本プログラムの実行が作業者により選択されたときに、ハードディスク等の記録媒体からＲＡＭにロードされるものであってもよい。すなわち、プログラム自体は、ハードディスクやＣＤ−ＲＯＭなどに記録されたものであってもよく、また、インターネットなどのネットワークを通じて作業関連情報表示システム１にダウンロードされるものであってもよい。
【０１３２】
作業関連情報表示システム１のデータベース部１０は、予め用意されており、その製品設計データベース１１には、随時、メンテナンスされた新たなプリント配線板組付用の部品の組付箇所設計データ、組付部品設計データ及び接続箇所設計データが登録されるものとし、この状態で、図４に示すように、対象製品識別因子入力部３７から製品設計データベース１１に記憶されている製品識別因子・ライン識別因子が選定入力、または、任意入力される（ステップＳ１０１）。作業関連情報表示システム１は、その対象製品設計データ収集部２３が、ステップＳ１０１で入力された識別因子に対応する組付け箇所設計データと、組付け部品設計データと、接続箇所設計データと、を製品設計データベース１１から収集して、その対応付けを実施し、対象製品設計データ記憶部２２に記憶させる（ステップＳ１０２）。なお、このとき、作業者が、対象製品設計データ入出力部２１を用いて、対象製品設計データ記憶部２２に記憶されているデータを入力、編集、出力してもよい。
【０１３３】
データ表示部３０では、図２に示すような表示が行われる。ＣＰＵは、作業者による抽出設計データ入力部３１を介しての、任意の「部品を特定する情報」または「組付け箇所を特定する情報」または「接続箇所を特定する情報」または「組み合わせ情報」の選定入力が行われたか、または、作業者による抽出位置入力部３４を介しての、プリント配線板のレイアウト上で任意の位置が入力されたのか、の判断１を行う（ステップＳ１０３）。抽出設計データ入力部３１から各種情報の選定入力が行われたと判断した場合には、データ表示部３０のＣＰＵは、抽出設計データ入力部３１を介して、対象製品設計データ記憶部２２に記憶されている「部品を特定する情報」または「組付け箇所を特定する情報」または「接続箇所を特定する情報」または「組み合わせ情報」の選定入力、あるいは、それらの任意入力が行われるのに応じて（ステップＳ１０４）、識別因子抽出部３２に、対象製品設計データ記憶部２２から、ステップＳ１０４で入力された「部品を特定する情報」または「組付け箇所を特定する情報」または「接続箇所を特定する情報」または「組み合わせ情報」に対応する組付け箇所識別因子・接続箇所識別因子を抽出させる（ステップＳ１０５）。このとき、ＣＰＵは、対称製品設計データ記憶部２２に組付け有無が入力されていると、ステップＳ１０４で入力された「部品を特定する情報」または「組付け箇所を特定する情報」または「接続箇所を特定する情報」または「組み合わせ情報」に対応する部品が組付けられていれば当該部品の組付け箇所識別因子を抽出するように、当該部品が組付けられていなければ当該部品の接続箇所識別因子を抽出するように識別因子抽出部３２に対して命令する。
【０１３４】
次に、ＣＰＵは、ステップＳ１０５で識別因子抽出部３２に抽出された識別因子に対応する部品・接続箇所を他の部品・接続箇所と区別し、対象製品設計データ記憶部２２に記憶されているデータを用いて、データ表示部３０上のプリント配線板のレイアウト上で図５に示すような位置表示を位置表示部３３に行わせる（ステップＳ１０６）。すなわち、識別因子に対応する部品・接続箇所は直感的に認識可能な表示を赤色で行い、その他の部品・接続箇所は直感的に認識可能な表示を黒色で行う。または、識別因子に対応する部品・接続箇所の表示には実線を用い、その他の部品・接続箇所に関する表示には破線を用いるようにしてもよい。
【０１３５】
ＣＰＵは、位置表示を行うと、作業者による入力に応じて処理を継続するか否か判断し（ステップＳ１０７）、処理を継続する場合には、ステップＳ１０３に戻って、判断１から上記した処理と同様の処理を行う。
【０１３６】
そして、ステップＳ１０３の判断１で、作業者が抽出設計データ入力部３１を介して各種情報の選定入力を行うのではなく、抽出位置入力部３４を介してプリント配線板のレイアウト上で任意の位置の入力を行ったと判断した場合には、データ表示部３０のＣＰＵは、抽出位置入力部３４を介してプリント配線板のレイアウト上で任意の位置あるいは領域（範囲）が（図６の破線参照。）選定入力されるのに応じて（ステップＳ１０８）、設計データ抽出部３５に、対象製品設計データ記憶部２２から、ステップＳ１０８で入力された位置に存在する部品の「部品を特定する情報」または入力された位置に存在する組付け箇所の「組付け箇所を特定する情報」または入力された位置に存在する接続箇所の「接続箇所を特定する情報」を抽出させる（ステップＳ１０９）。
【０１３７】
次に、ＣＰＵは、ステップＳ１０９で設計データ抽出部３５が抽出した「部品を特定する情報」または「組付け箇所を特定する情報」または「接続箇所を特定する情報」等の設計データを、図６に示すように、データ表示部３０上で設計データ表示部３６に表示させる（ステップＳ１１０）。
【０１３８】
作業関連情報表示システム１（データ表示部３０）のＣＰＵは、作業者が指示した部品情報等に対応するプリント配線板のレイアウト上に直感的に認識可能な位置表示、またはプリント配線板のレイアウト上で作業者が任意に指定した位置あるいは領域に対応する設計データ表示を行った後、作業者の入力に応じて処理を継続するか否か判断し（ステップＳ１０７）、処理を継続する場合には、ステップＳ１０３に戻って、判断１から上記した処理と同様の処理を行う（ステップＳ１１０）。
【０１３９】
ステップＳ１０７で、処理を継続しない場合には、作業関連情報表示システム１は、作業関連情報表示処理を終了する。
【０１４０】
本実施例の作業関連情報表示システム１は、上記した方法により、プリント配線板作業関連情報を表示することができる。また、このような工程（ステップ）を経て、プリント配線板上に部品が実装され、あるいは、部品の取り付けなどの検査が行われて、プリント回路実装品が製造されることとなる。
【０１４１】
このように、本実施例の作業関連情報表示システム１は、データ収集部２０が、データベース部１０の記憶するプリント配線板の設計データからプリント配線板を構成する部品の「部品を特定する情報」及びプリント配線板の「組付け箇所を特定する情報」をプリント配線板の「レイアウト位置を示す情報」に対比させた対象製品設計データを収集し、全ての部品をプリント配線板のレイアウト上で表示するデータ表示部３０の抽出設計データ入力部３１から任意の「部品を特定する情報」または「組付け箇所を特定する情報」またはこれらの情報を組み合わせた「組み合わせ情報」が入力されると、データ表示部３０の識別因子抽出部３２が、当該入力された情報に対応する組付け箇所識別因子をデータ収集部２０の収集した対象製品設計データから抽出して、データ表示部３０の位置表示部３３が、当該抽出した識別因子に対応する部品を他の部品と区別した状態で全ての部品をプリント配線板のレイアウト上で表示している。
【０１４２】
したがって、指定された情報に対応する部品を他の部品と区別して全ての部品をプリント配線板のレイアウト上に表示することで、プリント配線板の組立・検査・修理作業での作業位置を明確にすることができ、作業ミスや作業不可能状態の発生を防止することができ、また、作業位置を探す時間を短くして、作業時間を短縮させることができ、作業性を向上させることができる。
【０１４３】
また、本実施例の作業関連情報表示システム１によれば、データ収集部２０が、データベース部１０の記憶するプリント配線板の設計データからプリント配線板を構成する部品の「部品を特定する情報」及びプリント配線板の「組付け箇所を特定する情報」をプリント配線板の「レイアウト位置を示す情報」に対比させた対象製品設計データを収集し、抽出情報をプリント配線板のレイアウト上で表示するデータ表示部３０の抽出位置入力部３４からプリント配線板のレイアウト上で任意の位置が入力されると、データ表示部３０の設計データ抽出部３５が、当該入力された位置に存在する部品の「部品を特定する情報」または入力された位置に存在する組付け箇所の「組付け箇所を特定する情報」をデータ収集部２０の収集した対象製品設計データから抽出し、データ表示部３０の設計データ表示部３６が、当該抽出された情報を表示している。
【０１４４】
したがって、プリント配線板の検査で、作業する部品の「部品を特定する情報」または作業する組付け箇所の「組付け箇所を特定する情報」を明確にすることができ、作業ミスや作業不可能状態の発生を防止することができ、また、作業する部品の「部品を特定する情報」または作業する組付け箇所の「組付け箇所を特定する情報」を調査する時間を短くして、作業時間を短縮させることができ、作業性を向上させることができる。
【０１４５】
さらに、本実施例の作業関連情報表示システム１は、データ収集部２０が、データベース部１０の記憶するプリント配線板の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集し、全ての接続箇所をプリント配線板のレイアウト上で表示するデータ表示部３０の抽出設計データ入力部３１から任意の「部品を特定する情報」または「組付け箇所を特定する情報」または「接続箇所を特定する情報」またはこれらの情報を組み合わせた「組み合わせ情報」が入力されると、データ表示部３０の識別因子抽出部３２が、当該抽出設計データ入力部３１から入力された情報に対応する組付け箇所識別因子・接続箇所識別因子をデータ収集部２０の収集した対象製品設計データから抽出して、データ表示部３０の位置表示部３３が、識別因子抽出部３２の抽出した識別因子に対応する接続箇所を他の接続箇所と区別した状態で全ての接続箇所をプリント配線板のレイアウト上で表示している。
【０１４６】
したがって、プリント配線板の組立・検査・修理作業での作業位置をより一層明確にすることができ、作業ミスや作業不可能状態の発生をより一層防止することができ、また、作業位置を探す時間をより一層短くして、作業時間をより一層短縮させることができ、作業性をより一層向上させることができる。
【０１４７】
また、本実施例の作業関連情報表示システム１は、データ収集部２０が、データベース部１０の記憶するプリント配線板の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集し、抽出情報をプリント配線板のレイアウト上で表示するデータ表示部３０の抽出位置入力部３４からプリント配線板のレイアウト上で任意の位置が入力されると、データ表示部３０の設計データ抽出部３５が、当該入力された位置に存在する部品の「部品を特定する情報」または当該入力された位置に存在する組み付け箇所の「組付け箇所を特定する情報」または当該入力された位置に存在する接続箇所の「接続箇所を特定する情報」をデータ収集部２０の収集した対象製品設計データから抽出して、データ表示部３０の設計データ表示部３６が、当該抽出情報を表示している。
【０１４８】
したがって、プリント配線板の検査で作業する接続箇所の「接続箇所を特定する情報」をも明確にすることができ、作業ミスや作業不可能状態の発生をより一層防止することができ、また、作業する部品の「部品を特定する情報」または作業する組付け箇所の「組付け箇所を特定する情報」を調査する時間をより一層短くして、作業時間をより一層短縮させることができ、作業性をより一層向上させることができる。
【０１４９】
さらに、本実施例の作業関連情報表示システム１は、データ収集部２０が、データベース部１０の記憶するプリント配線板の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」に対比させた対象製品設計データを収集し、全ての部品・接続箇所をプリント配線板のレイアウト上で表示するデータ表示部３０の抽出設計データ入力部３１から任意の「部品を特定する情報」または「組付け箇所を特定する情報」または「接続箇所を特定する情報」またはこれらの情報を組み合わせた「組み合わせ情報」が入力されると、データ表示部３０の識別因子抽出部３２が、当該入力された情報に対応する組付け箇所識別因子・接続箇所識別因子をデータ収集部２０の収集した対象製品設計データから抽出して、データ表示部３０の位置表示部３３が、当該抽出された識別因子に対応する部品・接続箇所を他の部品・接続箇所と区別した状態で全ての部品・接続箇所をプリント配線板のレイアウト上で表示している。
【０１５０】
したがって、プリント配線板の組立・検査・修理作業での作業する位置をより一層明確にすることができ、作業ミスや作業不可能状態の発生をより一層防止することができ、また、作業位置を探す時間をより一層短くして、作業時間をより一層短縮させることができ、作業性をより一層向上させることができる。
【０１５１】
また、本実施例の作業関連情報表示システム１は、データ収集部２０の対象製品設計データ収集部２３が、データベース部１０の設計データからプリント配線板を構成する部品の「部品を特定する情報」、プリント配線板の「組付け箇所を特定する情報」及びプリント配線板の「接続箇所を特定する情報」をプリント配線板の「レイアウト位置を示す情報」と対比させた対象製品設計データを収集するとともに、対象製品設計データ入力出力部２１が当該対象製品設計データに組立作業実施時に部品を組付けたか否かを示す組付情報を入力し、全ての部品・接続箇所をプリント配線板のレイアウト上で表示するデータ表示部３０の抽出設計データ入力部３１から任意の「部品を特定する情報」または「組付け箇所を特定する情報」または「接続箇所を特定する情報」またはこれらの情報を組み合わせた「組み合わせ情報」が入力されると、データ表示部３０の識別因子抽出部３２が、データ収集部２０の組付情報を含む対象製品設計データに基づいて抽出設計データ入力部３１から入力された情報に対応する部品が組付けられているかチェックして、部品が組み付けられていると、部品の組み付け箇所識別因子を、部品が組み付けられていないと、部品の接続箇所識別因子を抽出し、位置表示部３３が、識別因子抽出部３２の抽出した識別因子に対応する部品・接続箇所を他の部品・接続箇所と区別した状態で、全ての部品・接続箇所をプリント配線板のレイアウト上で表示している。
【０１５２】
したがって、プリント配線板の組立・検査・修理作業での作業する位置をより一層明確にすることができ、作業ミスや作業不可能状態の発生をより一層防止することができ、また、作業位置を探す時間をより一層短くして、作業時間をより一層短縮させることができ、作業性をより一層向上させることができる。
【０１５３】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１５４】
本発明は、プリント配線板の部品の組立、検査、修理等で、部品の組み付け、確認、交換、修正作業の位置を任意にあるいは作業に沿って表示して、作業性を向上させる作業関連情報表示方法及び作業関連情報表示システムに適用することができる。
【図面の簡単な説明】
【０１５５】
【図１】本発明の作業関連情報表示方法及び作業関連情報表示システムの一実施例を適用した作業関連情報表示システムのブロック構成図。
【図２】図１のデータ表示部の一例の平面図。
【図３】図１の対象製品設計データ記憶部の記憶内容の一例を示す図。
【図４】図１の作業関連情報表示システムによる作業関連情報表示処理を示すフローチャート。
【図５】図４の作業関連情報表示処理の位置表示処理でのデータ表示部の表示例を示す図。
【図６】図４の作業関連情報表示処理の設計データ表示処理でのデータ表示部の表示例を示す図。
【符号の説明】
【０１５６】
１  作業関連情報表示システム
１０  データベース部
１１  製品設計データベース
２０  データ収集部
２１  対象製設計データ入出力部
２２  対象製品設計データ記憶部
２３  対象製品設計データ収集部
３０  データ表示部
３１  抽出設計データ入力部
３２  識別因子抽出部
３３  位置表示部
３４  抽出位置入力部
３５  設計データ抽出部
３６  設計データ表示部
３７  対象製品識別因子入力部
【図１】
2006024883.tif 000003
【図２】
2006024883.tif 000004
【図３】
2006024883.tif 000005
【図４】
2006024883.tif 000006
【図５】
2006024883.tif 000007
【図６】
2006024883.tif 000008